(57)【要約】【課題】    室外空気を調湿する吸着部を保護するフィルタにおける塵埃の目詰まりなどによって通気圧力損失が増大してしまうことを抑制する。【解決手段】室外空気の塵埃に対して吸着部（3,5）を保護する室外側フィルタ（24）を、吸着部（3,5）における室外空気の流入面に沿って配置形成する。【選択図】  図３
2006023079.tif 000002
【特許請求の範囲】
【請求項１】
ケーシング（10）内に、室外空間と室内空間とを連通させる空気通路と、該空気通路に配置されて空気中の水分の吸着又は脱着を行う吸着部（3,5）と、上記空気通路における吸着部（3,5）よりも室外空間側に配置された室外側フィルタ（24）とを備え、
上記吸着部（3,5）は、室外空気が流通して調湿される流通空間を有している調湿装置であって、
上記室外側フィルタ（24）は、上記吸着部（3,5）における室外空気の流入面に沿って配置形成されていることを特徴とする調湿装置。
【請求項２】
請求項１に記載の調湿装置において、
空気通路は、第１通路（41）と第２通路（42）とを備え、
吸着部（3,5）は、第１通路（41）に配置された第１の吸着部（3）と、第２通路（42）に配置された第２の吸着部（5）とで構成され、
室外側フィルタ（24）は、第１通路（41）に配置された第１のフィルタ部（24a）と、第２通路（42）に配置された第２のフィルタ部（24b）とを備えていることを特徴とする調湿装置。
【請求項３】
請求項２に記載の調湿装置において、
第１フィルタ部（24a）と第２フィルタ部（24b）とが一体となって室外側フィルタ（24）を構成し、
上記室外側フィルタ（24）は、第１吸着部（3）における室外空気の流入面と第２吸着部（5）における室外空気の流入面とに跨るように配置されていることを特徴とする調湿装置。
【請求項４】
請求項３に記載の調湿装置において、
第１吸着部（3）と第２吸着部（5）とは、互いに近接して配置され、第１吸着部（3）の流入面と第２吸着部（5）の流入面とが略同一平面上に形成されていることを特徴とする調湿装置。
【請求項５】
請求項１から４のいずれか１に記載の調湿装置において、
ケーシング（10）には、室外側フィルタ（24）を取り出し可能な取出し口（61）が形成されていることを特徴とする調湿装置。
【請求項６】
請求項２から５のいずれか１に記載の調湿装置において、
第１吸着部（3）は、冷媒回路（1）に接続された第１の熱交換器に吸着材が担持された第１の吸着熱交換器（3）で構成される一方、第２吸着部（5）は、冷媒回路（1）に接続された第２の熱交換器に吸着材が担持された第２の吸着熱交換器（5）で構成されていることを特徴とする調湿装置。
【請求項７】
請求項６に記載の調湿装置において、
室外空気を第１フィルタ部（24a）、第１吸着熱交換器（3）の順に流通させて室内空間へ供給すると同時に、室内空気を第２吸着熱交換器（5）、第２フィルタ部（24b）の順に流通させて室外空間へ排出する第１動作と、
室外空気を第２フィルタ部（24b）、第２吸着熱交換器（5）の順に流通させて室内空間へ供給すると同時に、室内空気を第１吸着熱交換器（3）、第１フィルタ部（24a）の順に流通させて室外空間へ排出する第２動作とを切り換えて行うことを特徴とする調湿装置。
【請求項８】
請求項７に記載の調湿装置において、
室内空気を第１通路又は第２通路に流入させる室内空気供給通路を備え、
上記室内空気供給通路には、室内側フィルタ（23b）が配置されていることを特徴とする調湿装置。
【請求項９】
請求項８に記載の調湿装置において、
ケーシング（10）には、第１通路（41）及び第２通路（42)よりも室内空間側の空気通路と接続して室内空間と面する吸引口（63）が設けられ、
室内側フィルタ（23b）は、室内空気供給通路としての吸引口（63）の開口部近傍に配置されていることを特徴とする調湿装置。
【請求項１０】
請求項２から５のいずれか１に記載の調湿装置において、
室内空気を第１通路（41）又は第２通路（42）に流入させる室内空気供給通路を備え、
上記室内空気供給通路には、室内側フィルタ（23b）が配置され、
室外空気を第１フィルタ部（24a）、第１吸着部（3）の順に流通させて室内空間へ供給すると同時に、室内空気を室内側フィルタ（23b）、第２吸着部（5）、第２フィルタ部（24b）の順に流通させて室外空間へ排出する第１動作と、
室外空気を第２フィルタ部（24b）、第２吸着部（5）の順に流通させて室内空間へ供給すると同時に、室内空気を室内側フィルタ（23b）、第１吸着部（3）、第１フィルタ部（24a）の順に流通させて室外空間へ排出する第２動作とを切り換えて行うことを特徴とする調湿装置。
【請求項１１】
請求項１０に記載の調湿装置において、
ケーシング（10）には、第１通路（41）及び第２通路（42)よりも室内空間側の空気通路と接続して室内空間と面する吸引口（63）が設けられ、
室内側フィルタ（23b）は、室内空気供給通路としての吸引口（63）の開口部近傍に配置されていることを特徴とする調湿装置。
【発明の詳細な説明】
【技術分野】
【０００１】
本発明は、空気中の水分の吸着又は脱着を行う吸着部を備え、被処理空気の除加湿を行う調湿装置に関するものである。
【背景技術】
【０００２】
従来より、例えば吸着素子などの吸着部によって空気中の水分の吸着又は脱着を行い被処理空気の調湿を行う調湿装置が知られている。
【０００３】
この調湿装置は、ケーシング内に室外空間と室内空間とを連通させる空気通路が形成され、該空気通路に吸着素子を備えている。そして、室外空気（OA）を上記吸着素子に流通させることで、例えば室外空気（OA）の水分を吸着し、除湿空気（調湿空気（SA））として室内空間へ供給するようにしている。また、例えば吸着素子に吸着された水分を脱着させ、この水分を室外空気（OA）に付与し、加湿空気（調湿空気（SA））として室内空間へ供給するようにしている（特許文献１参照）。
【特許文献１】特開平９−３２９３７１号公報
【発明の開示】
【発明が解決しようとする課題】
【０００４】
ところで、このように室外空気（OA）を吸着素子に流通させて室外空気（OA）の除湿又は加湿を行う際、室外空気（OA）中に塵埃が多く含まれる場合、この塵埃が吸着素子に付着し、吸着素子の有する吸脱着性能が低下してしまう可能性がある。このため、このような吸着素子における塵埃の付着を防止する手段として、吸着素子よりも室外空間側の空気通路にフィルタを設け、室外空気（OA）中の塵埃をこのフィルタによって捕集することが考えられる。
【０００５】
しかしながら、上記フィルタを空気通路に配置した場合、上記フィルタによって通気圧力損失が大きくなる可能性がある。特に、フィルタに室外空気（OA）中の塵埃が多く捕集され、フィルタに目詰まりが生じてしまう場合、上記通気圧力損失が極端に大きくなり、例えば室外空気（OA）をケーシング内に流入させる吸引ファンの動力負荷が大きくなってしまう。
【０００６】
本発明は、かかる点に鑑みてなされたものであり、その目的とするところは、吸着部を保護するフィルタにおける塵埃の目詰まりなどによって通気圧力損失が増大してしまうことを抑制することである。
【課題を解決するための手段】
【０００７】
本発明は、室外空気（OA）の塵埃に対して吸着部を保護するフィルタを、吸着部における室外空気（OA）の流入面に沿って配置形成するようにしたものである。
【０００８】
具体的に、第１の発明は、ケーシング（10）内に、室外空間と室内空間とを連通させる空気通路と、該空気通路に配置されて空気中の水分の吸着又は脱着を行う吸着部（3,5）と、上記空気通路における吸着部（3,5）よりも室外空間側に配置された室外側フィルタ（24）とを備え、上記吸着部（3,5）は、室外空気が流通して調湿される流通空間を有している調湿装置を前提としている。そして、この調湿装置は、上記室外側フィルタ（24）が、上記吸着部（3,5）における室外空気の流入面に沿って配置形成されていることを特徴とするものである。
【０００９】
上記第１の発明では、室外側フィルタ（24）が吸着部（3,5）よりも室外空間側の空気通路に配置され、室外空気（OA）中の塵埃が室外側フィルタ（24）によって捕集される。
【００１０】
また、室外側フィルタ（24）を通過した室外空気（OA）は、上記吸着部（3,5）の流入面より該吸着部（3,5）の流通空間を流通する。そして、例えば吸着部（3,5）に室外空気（OA）中の水分が吸着されることで、室外空気（OA）が除湿される。また、例えば吸着部（3,5）に吸着された水分が脱着され、この水分が室外空気（OA）に付与されることで、室外空気（OA）が加湿される。
【００１１】
ところで、一般的に、吸着部（3,5）を流通する被処理空気の通気抵抗を低減するとともに被処理空気と吸着部（3,5）との接触効率を向上させるために、吸着部（3,5）の流入面は、比較的大面積に設計されている。
【００１２】
ここで、本発明では、室外側フィルタ（24）を吸着部（3,5）の流入面に沿って配置形成している。このため、室外側フィルタ（24）における室外空気（OA）の流入面積を広くとることができ、室外側フィルタ（24）の設置に起因する圧力損失の上昇を抑制できる。また、このように室外側フィルタ（24）の捕集面が広くなることで、室外空気（OA）中の塵埃が、室外側フィルタ（24）に分散して捕集されやすくなる。したがって、室外側フィルタ（24）において、塵埃が局所的に捕集され、その結果、室外側フィルタ（24）が目詰まりを起こし通気圧力損失が上昇してしまうことも抑制できる。
【００１３】
第２の発明は、第１の発明の調湿装置において、空気通路が、第１通路（41）と第２通路（42）とを備え、吸着部（3,5）は、第１通路（41）に配置された第１の吸着部（3）と、第２通路（42）に配置された第２の吸着部（5）とで構成され、室外側フィルタ（24）は、第１通路（41）に配置された第１のフィルタ部（24a）と、第２通路（42）に配置された第２のフィルタ部（24b）とを備えていることを特徴とするものである。
【００１４】
上記第２の発明では、吸着部（3,5）が第１吸着部（3）と第２吸着部（5）で構成される。このため、例えば除湿運転では、室外空気（OA）の水分を第１吸着部（3）で吸着し、この除湿空気を調湿空気（SA）として室内空間へ供給すると同時に、第２吸着部（5）に吸着された水分を脱着させ、室内空気（RA）に付与させて、この空気を排出空気（EA）として室外空間へ排出することができる。また、逆に、例えば室外空気（OA）の水分を第２吸着部（5）で吸着し、この除湿空気を調湿空気（SA）として室内空間へ供給すると同時に、第１吸着部（3）に吸着された水分を脱着させ、室内空気（RA）に付与させて、この空気を排出空気（EA）として室外空間へ排出することができる。このように、第１吸着部（3）による吸着動作と第２吸着部（5）による再生動作とを同時に行う動作と、第１吸着部（3）による再生動作と第２吸着部（5）による吸着動作とを同時に行う動作とを交互に切り換えることで、いわゆるバッチ式の除湿運転を継続的に行うことができる。
【００１５】
ここで、本発明では、上記第１吸着部（3）における室外空気（OA）の流入面に沿って第１フィルタ部（24a）を配置形成している。このため、第１フィルタ部（24a）の設置に起因する通気圧力損失の上昇を抑制できる。また、本発明では、上記第２吸着部（5）における室外空気（OA）の流入面に沿って第２フィルタ部（24b）を配置形成している。このため、第２フィルタ部（24b）の設置に起因する通気圧力損失の上昇を抑制できる。
【００１６】
第３の発明は、第２の発明の調湿装置において、第１フィルタ部（24a）と第２フィルタ部（24b）とが一体となって室外側フィルタ（24）を構成し、上記室外側フィルタ（24）は、第１吸着部（3）における室外空気の流入面と第２吸着部（5）における室外空気の流入面とに跨るように配置されていることを特徴とするものである。
【００１７】
上記第３の発明では、第１フィルタ部（24a）と第２フィルタ部（24b）とが一体的に形成され、第１吸着部（3）の流入面と第２吸着部（5）の流入面との双方に沿って配置形成される。
【００１８】
第４の発明は、第３の発明の調湿装置において、第１吸着部（3）と第２吸着部（5）とが互いに近接して配置され、第１吸着部（3）の流入面と第２吸着部（5）の流入面とが略同一平面上に形成されていることを特徴とするものである。
【００１９】
上記第４の発明では、第１フィルタ部（24a）と第２フィルタ部（24b）とを近接して配置できるとともに第１，第２吸着部（3,5）の流入面に沿って同一平面上に配置形成できる。したがって、室外側フィルタ（24）を一枚の平板ないしシート状にしてコンパクトに形成することができる。
【００２０】
第５の発明は、第１から第４のいずれか１の発明の調湿装置において、ケーシング（10）には、室外側フィルタ（24）を取り出し可能な取出し口（61）が形成されていることを特徴とするものである。
【００２１】
上記第５の発明では、ケーシング（10）の取出し口（61）を介して、室外側フィルタ（24）をケーシング（10）の外部へ取り出し、室外側フィルタ（24）のメンテナンスを行うことができる。
【００２２】
第６の発明は、第２から第５のいずれか１の発明の調湿装置において、第１吸着部（3）は、冷媒回路（1）に接続された第１の熱交換器に吸着材が担持された第１の吸着熱交換器（3）で構成される一方、第２吸着部（5）は、冷媒回路（1）に接続された第２の熱交換器に吸着材が担持された第２の吸着熱交換器（5）で構成されていることを特徴とするものである。
【００２３】
上記第６の発明では、第１，第２吸着熱交換器（3,5）が接続された冷媒回路（1）内を冷媒が循環することで、冷凍サイクルが行われる。ここで、第１吸着熱交換器（3）が蒸発器として機能し、第２吸着熱交換器（5）が凝縮器として機能する場合、例えば除湿運転時に室外空気（OA）を第１吸着熱交換器（3）に流通させることで、室外空気（OA）中の水分を、第１吸着熱交換器（3）に担持された吸着材に吸着させ、この除湿空気を調湿空気（SA）として室内空間へ供給できる。また、この際、吸着材で生じる吸着熱を冷媒の蒸発熱として利用することができる。同時に、室内空気（RA）を第２吸着熱交換器（5）に流通させることで、吸着材より脱着した水分を室内空気（RA）に付与させ、この空気を排出空気（EA）として室外空間へ排出することができる。このように、第１吸着部（3）による吸着動作と第２吸着部（5）による再生動作とを同時に行う動作と、これとは逆に、第１吸着部（3）による再生動作と第２吸着部（5）による吸着動作とを同時に行う動作とを交互に切り換えることで、いわゆるバッチ式の除湿運転を継続的に行うことができる。
【００２４】
ここで、本発明では、上記第１吸着熱交換器（3）における室外空気（OA）の流入面に沿って第１フィルタ部（24a）を配置形成している。このため、第１フィルタ部（24a）の設置に起因する通気圧力損失の上昇を抑制できる。また、上記第２吸着熱交換器（5）における室外空気（OA）の流入面に沿って第２フィルタ部（24b）を配置形成している。このため、第２フィルタ部（24b）の設置に起因する通気圧力損失の上昇を抑制できる。
【００２５】
第７の発明は、第６の発明の調湿装置において、室外空気を第１フィルタ部（24a）、第１吸着熱交換器（3）の順に流通させて室内空間へ供給すると同時に、室内空気を第２吸着熱交換器（5）、第２フィルタ部（24b）の順に流通させて室外空間へ排出する動作と、室外空気を第２フィルタ部（24b）、第２吸着熱交換器（5）の順に流通させて室内空間へ供給すると同時に、室内空気を第１吸着熱交換器（3）、第１フィルタ部（24a）の順に流通させて室外空間へ排出する動作とを切り換えて行うことを特徴とするものである。
【００２６】
上記第７の発明では、第１動作時における室外空気（OA）が、第１フィルタ部（24a）、第１吸着熱交換器（3）の順に流れるため、第１フィルタ部（24a）には第１動作時に流通する室外空気（OA）中の塵埃が捕集される。一方、第２動作時における室内空気（RA）は、上記第１動作時の室外空気（OA）と逆方向、すなわち、第１吸着熱交換器（3）、第１フィルタ（24a）の順に流れる。このため、第１フィルタ部（24a）に捕集された塵埃を室内空気（RA）によって吹き飛ばし、室外空間へ排出することができ、第１フィルタ部（24a）の塵埃を除去することができる。
【００２７】
また、逆に、第２動作時における室外空気（OA）は、第２フィルタ部（24b）、第２吸着熱交換器（5）の順に流れるため、第２フィルタ部（24b）には第２動作時に流通する室外空気（OA）中の塵埃が捕集される。一方、第１動作時における室内空気（RA）は、上記第２動作時の室外空気（OA）と逆方向、すなわち、第２吸着熱交換器（5）、第２フィルタ（24b）の順に流れる。このため、第２フィルタ部（24b）に捕集された塵埃を室内空気（RA）によって吹き飛ばし、室外空間へ排出することができ、第２フィルタ部（24b）の塵埃を除去することができる。
【００２８】
第８の発明は、第７の発明の調湿装置において、室内空気を第１通路又は第２通路に流入させる室内空気供給通路を備え、上記室内空気供給通路には、室内側フィルタ（23b）が配置されていることを特徴とするものである。
【００２９】
上記第８の発明では、室内空間と第１，第２通路（41,42）とを連通させる室内空気供給通路に室内側フィルタ（23b）が設けられる。したがって、第１動作時において第２吸着熱交換器（5）に流入する室内空気（RA）中の塵埃が第２吸着熱交換器（5）に付着してしまうことを抑制できる。また、逆に、第２動作時において第１吸着熱交換器（5）に流入する室内空気（RA）中の塵埃が第１吸着熱交換器（3）に付着してしまうことを抑制できる。
【００３０】
第９の発明は、第８の発明の調湿装置において、ケーシング（10）には、第１通路（41）及び第２通路（42)よりも室内空間側の空気通路と接続して室内空間と面する吸引口（63）が設けられ、室内側フィルタ（23b）は、室内空気供給通路としての吸引口（63）の開口部近傍に配置されていることを特徴とするものである。
【００３１】
上記第９の発明では、第８の発明と同様の室内側フィルタ（23b）が設けられる。したがって、第１動作時において第２吸着熱交換器（5）に流入する室内空気（RA）中の塵埃が第２吸着熱交換器（5）に付着してしまうことを抑制できる。また、逆に、第２動作時において第１吸着熱交換器（5）に流入する室内空気（RA）中の塵埃が第１吸着熱交換器（3）に付着してしまうことを抑制できる。
【００３２】
ここで、上記室内側フィルタ（23b）は、室内空間に面して配置される吸引口（63）の開口部近傍に配置される。したがって、室内空間より上記室内側フィルタ（23b）の交換やメンテナンスを容易に行うことができる。
【００３３】
第１０の発明は、第２から第５の発明のいずれか１の発明の調湿装置において、第１通路（41）及び第２通路（42)よりも室内空間側の空気通路には、室内側フィルタ（23b）が配置され、室外空気を第１フィルタ部（24a）、第１吸着部（3）の順に流通させて室内空間へ供給すると同時に、室内空気を室内側フィルタ（23b）、第２吸着部（5）、第２フィルタ部（24b）の順に流通させて室外空間へ排出する第１動作と、室外空気を第２フィルタ部（24b）、第２吸着部（5）の順に流通させて室内空間へ供給すると同時に、室内空気を室内側フィルタ（23b）第１吸着部（3）、第１フィルタ部（24a）の順に流通させて室外空間へ排出する第２動作とを切り換えて行うことを特徴とするものである。
【００３４】
上記第１０の発明では、第１吸着部（3）及び第２吸着部（5）において、室内空気（RA）中の塵埃が付着してしまうことを室内側フィルタ（23b）によって抑制できる。また、第１動作及び第２動作を繰り返すことによって、室外側フィルタ（24）に付着した室外空気（OA）中の塵埃を室内空気（RA）によって吹き飛ばして除去できる。
【００３５】
第１１の発明は、第１０の発明の調湿装置において、ケーシング（10）には、第１通路（41）及び第２通路（42)よりも室内空間側の空気通路と接続して室内空間と面する吸引口（63）が設けられ、室内側フィルタ（23b）は、室内空気供給通路としての吸引口（63）の開口部近傍に配置されていることを特徴とするものである。
【００３６】
上記第１１の発明では、第１０の発明の調湿装置において、第９の発明と同様の作用効果が得られる。
【発明の効果】
【００３７】
上記第１の発明によれば、室外側フィルタ（24）を吸着部（3,5）における室外空気（OA）の流入面に配置形成している。このため、室外側フィルタ（24）における室外空気（OA）の流入面積を広くでき、室外側フィルタ（24）の設置に起因する圧力損失の上昇を抑制できる。さらに、室外空気（OA）の塵埃を分散して捕集できるため、室外側フィルタ（24）の目詰まり時における圧力損失の上昇を抑制できる。したがって、吸着部（3,5）における塵埃の付着を防止しながら、通気圧力損失の低減を図り、例えば吸引ファンの動力負担を低減させることができる。
【００３８】
上記第２の発明によれば、吸着部として第１吸着部（3）と第２吸着部（5）とを設けることで、いわゆるバッチ式の除湿運転、あるいは加湿運転を行えるようにしている。ここで、本発明では、第１吸着部（3）を保護する第１フィルタ部（24a）と、第２吸着部（5）を保護する第２フィルタ部（24b）との双方を、各吸着部（3,5）における室外空気（OA）の流入面に沿って配置形成している。したがって、各フィルタ部（24a,24b）の設置に起因する圧力損失の上昇を抑制できる。
【００３９】
上記第３の発明によれば、第１フィルタ部（24a）と第２フィルタ部（24b）とを一体的に構成している。したがって、室外側フィルタ（24）をコンパクトに設計することができる。
【００４０】
また、例えば室外側フィルタ（24）をケーシング（10）の外部に取り外してメンテナンスを行う際、取り出しを１度で行えるので、その作業性が向上する。
【００４１】
上記第４の発明によれば、第１フィルタ部（24a）と第２フィルタ部（24b）とを近接して配置し、一枚の平板ないしシート状に形成できるようにしている。したがって、室外側フィルタ（24）を一層コンパクトに設計することができる。また、室外側フィルタ（24）の設置性の向上を図ることができる。
【００４２】
上記第５の発明によれば、取出し口（61）を介して室外側フィルタ（24）をケーシング（10）の外部に容易に取り出しできるようにしている。したがって、室外側フィルタ（24）のメンテナンス性の向上を図ることができる。
【００４３】
上記第６の発明によれば、２つの吸着部（3,5）として第１と第２の吸着熱交換器（3,5）を用いるようにしている。ここで、吸着熱交換器（3,5）が接続される冷媒回路の冷凍サイクルによって、吸着熱交換器（3,5）に担持された吸着材の吸着動作及び再生動作を効率的に行うことができる。したがって、第１，第２吸着熱交換器（3,5）を用いた、いわゆるバッチ式の除湿運転、あるいは加湿運転を行うことができる。
【００４４】
この際、第１吸着熱交換器（3）及び第２吸着熱交換器（5）における室外空気（OA）の流入面に室外側フィルタ（24）を配置形成することで、各吸着熱交換器（3,5）に担持された吸着材や吸着熱交換器（3,5）の伝熱管に塵埃が付着することを防止しながら、室外側フィルタ（24）の設置に起因する圧力損失の上昇を抑制できる。
【００４５】
上記第７の発明によれば、第１動作時及び第２動作時において、室外側フィルタ（24）に捕集された塵埃を、室内空気（RA）で吹き飛ばし、これらの塵埃を室内空気（RA）とともに室外空間へ排出させるようにしている。このため、第１動作と第２動作とを交互に切り換えて運転することで、室外側フィルタ（24）に付着した塵埃を自動的に除去でき、室外側フィルタ（24）における塵埃の目詰まりを抑制できる。したがって、室外側フィルタ（24）における圧力損失の上昇を抑制できる。また、室外側フィルタ（24）の交換やメンテナンスの頻度の低減を図ることができる。
【００４６】
上記第８の発明によれば、室外側フィルタ（24）に加え、室内側フィルタ（23b）を設けることで、室内空気（RA）中の塵埃が吸着熱交換器（3,5）に付着することを抑制できる。
【００４７】
上記第９の発明によれば、室内側フィルタ（23b）を室内空間に面する吸引口（63）に配置するようにしている。このため、室内側フィルタ（23b）を室内空間より容易に取り外すことができる。したがって、室内側フィルタ（23b）の交換やメンテナンスの作業性の向上を図ることができる。
【００４８】
上記第１０の発明によれば、第１動作と第２動作とを交互に切り換えて運転することで、室外側フィルタ（24）に付着した塵埃を室内空気（RA）によって除去でき、室外側フィルタ（24）における塵埃の目詰まりを抑制できる。一方、上記室内空気（RA）中の塵埃は、室内側フィルタ（23b）によって捕集される。したがって、室内空気（RA）中の塵埃が第１，第２吸着部（3,5）に付着してしまうことを抑制できる。
【００４９】
上記第１１の発明によれば、第１０の発明において、室内側フィルタ（23b）を室内空間より容易に取り外すことができる。したがって、室内側フィルタ（23b）の交換やメンテナンスの作業性の向上を図ることができる。
【発明を実施するための最良の形態】
【００５０】
以下、本発明の実施形態１を図面に基づいて詳細に説明する。
【００５１】
実施形態１に係る調湿装置は、室内空気（RA）を室外空間へ排出するとともに室外空気（OA）を室内空間へ供給するいわゆる換気型の調湿装置である。また、この調湿装置は、減湿された空気を室内空間へ供給する除湿運転と、加湿された空気を室内空間へ供給する加湿運転とを切り換えて行うように構成されている。さらに、この調湿装置は、吸着材が担持された第１と第２の熱交換器（第１と第２の吸着熱交換器（3,5））が接続された冷媒回路（1）を備えており、これら第１，第２吸着熱交換器（3,5）が２つの吸着部となってバッチ式の吸着／再生動作を行うように構成されている。
【００５２】
まず、調湿装置に備えられた冷媒回路（1）について、図１及び図２を参照しながら説明する。
【００５３】
図１に示すように、冷媒回路（1）は、圧縮機構である圧縮機（7）と、四路切換弁（8）と、第１吸着熱交換器（3）と、膨張機構である膨張弁（9）と、第２吸着熱交換器（5）とが順に接続されて閉回路となっている。この冷媒回路（1）は、冷媒が充填されており、この冷媒が循環して蒸気圧縮式の冷凍サイクルを行うように構成されている。なお、上記四路切替弁（8）には、冷媒回路（1）の配管が接続可能な第１から第４のポート(8a,8b,8c,8d）が設けられている。
【００５４】
冷媒回路（60）において、圧縮機（7）の吐出口は、四路切替弁（8）の第１ポート（8a）に接続されている。また、四路切替弁（8）の第３ポート（8c）は、第１吸着熱交換器（3）の一端と接続されている。第１吸着熱交換器（3）の他端は、膨張弁（9）を介して第２吸着熱交換器（5）の一端と接続されている。第２吸着熱交換器（5）の他端は、四路切替弁（8）の第４ポート（8d）に接続されている。また、四路切替弁（8）の第２ポート（8b）は、圧縮機（7）の吸引口と接続されている。
【００５５】
四路切換弁（8）は第１ポート（8a）と第３ポート（8c）とが連通すると同時に第２ポート（8b）と第４ポート（8d）とが連通する第１状態（図１の(Ａ)に示す状態）と、第１ポート（8a）と第４ポート（8d）とが連通すると同時に第２ポート（8b）と第３ポート（8c）とが連通する第２状態（図１の(Ｂ)に示す状態）とに切換可能となっている。そして、四路切換弁（8）が第１状態に切り換わると、第１吸着熱交換器（3）が凝縮器として機能し、第２吸着熱交換器（5）が蒸発器として機能する。一方、四路切換弁（8）が第２状態に切り換わると、第１吸着熱交換器（3）が蒸発器として機能し、第２吸着熱交換器（5）が凝縮器として機能する。
【００５６】
図２に示すように、第１吸着熱交換器（3）及び第２吸着熱交換器（5）は、それぞれクロスフィン式のフィン・アンド・チューブ型熱交換器により構成されている。具体的に、第１，第２吸着熱交換器（3,5）は、長方形板状に形成されたアルミニウム製の多数のフィン（4）と、このフィン（4）を貫通する銅製の伝熱管（6）とを備えている。
【００５７】
上記各フィン（4）及び伝熱管（6）の外表面には、吸着材がディップ成形（浸漬成形）により担持されている。この吸着材としては、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料などが挙げられる。
【００５８】
次に、実施形態１の調湿装置の具体構成について図３を参照しながら詳細に説明する。なお、図３(Ａ)は調湿装置の平面図、図３(Ｂ)は調湿装置の内部を左側から視た図、図３(Ｃ)は調湿装置の内部を右側から視た図、図３(Ｄ)は、図３(Ａ)のＤ−Ｄ断面図である。なお、本実施形態の説明において、「上」「下」「左」「右」「前」「後」「手前」「奥」は、特にことわらない限り、図３に示す調湿装置を正面側（図３(Ａ)の下側）から視た場合の方向性を意味している。
【００５９】
実施形態１の調湿装置（10）は、やや扁平な矩形箱形のケーシング（10）を備えており、ケーシング（10）の内部には、室内空間と室外空間とを連通させる空気通路が形成されている。
【００６０】
ケーシング（10）には、最も奥側に後面パネル（10a）が形成され、最も手前側に前面パネル（10b）が形成されている。また、ケーシング（10）には、左側にケーシング第１側板（11）が形成されており、右側にケーシング第２側板（12）が形成されている。さらに、ケーシング（10）には、上側にケーシング天板（10c）が形成され、下側にケーシング底板（10d）が形成されている。
【００６１】
後面パネル（10a）の左側寄りには、室外空間からの室外空気（OA）を取り入れる第１吸込口（15）が形成され、後面パネル（10a）の右側寄りには、室内空間からの室内空気（RA）を取り入れる第２吸込口（16）が形成されている。一方、前面パネル（10b）の左側寄りには、調湿空気（SA）を室内空間へ供給する給気口（17）が形成され、前面パネル（10b）の右側寄りには、排出空気（OA）を室外空間へ排出する排気口（18）が形成されている。
【００６２】
ケーシング（10）の内部は、前後方向において大略的に３つの空間に仕切られている。この３つの空間のうち、ケーシング（10）の前面パネル（10b）寄りに形成された空間は、左右に２つの空間に仕切られている。そして、この２つ空間のうち、左側の空間が給気側通路（31）を構成し、右側の空間が排気側通路（32）を構成している。
【００６３】
給気側通路（31）は、給気口（17）を介して室内空間と連通している。この給気側通路（31）には、給気ファン（21）が設置されている。一方、排気側通路（32）は、排気口（18）を介して室外空間と連通している。この排気側通路（32）には、排気ファン（22）が設置されている。また、排気側通路（32）の左側寄りには、上述した圧縮機（7）が配置されている。
【００６４】
ケーシング（10）の後面パネル（10a）寄りに形成された空間は、吸込側仕切板（19）によって左右２つの空間に仕切られている。この２つの空間のうち、左側の空間が第１吸込通路（33）を構成し、右側の空間が第２吸込通路（室内空気供給通路）（34）を構成している。そして、上記第１吸込通路（33）は、第１吸込口（15）を介して室外空間と連通している一方、上記第２吸込通路（34）は、第２吸込口（16）を介して室内空間と連通している。
【００６５】
また、ケーシング（10）の後面パネル（10b）寄りに形成された空間には、上記吸込側仕切板（19）を貫通するとともに上記第１吸込通路（33）と上記第２吸込通路（34）とに跨るようにして配置された吸込側フィルタ（23）が配置されている。この吸込側フィルタ（23）は、第１吸込通路（31）に位置する第１プレフィルタ（23a）と、第２吸込通路（32）に位置する第２プレフィルタ（23b）(室内側フィルタ）とが一体的に構成されている。そして、上記第１プレフィルタ（23a）が、第１吸込口（21）より吸引された室外空気（OA）中の塵埃を捕集する一方、上記第２プレフィルタ（23b）が、第２吸引口（22）より吸引された室内空気（RA）中の塵埃を捕集する。
【００６６】
ケーシング(17)の前後方向の中央に形成された空間は、左側寄りに位置する第１仕切板（13）及び右側寄りに位置する第２仕切板（14）とによって左右の３つの空間に仕切られている。さらに、第１仕切板（13）と第２仕切板（14）との間の空間は、中央仕切板（20）によって、第１空気調和室（第１通路）（41）と第２空気調和室（第２通路）（42）とに仕切られている。
【００６７】
第１空気調和室（41）は、中央仕切板（20）の後側に形成されており、上述した第１吸着熱交換器（3）が配置されている。第１吸着熱交換器（3）は、図１(Ｄ)に示すように、第１空気調和室（41）の上下方向における中央部に配置されている。そして、第１空気調和室（41）を上部の空間と下部の空間とに仕切っている。また、第１吸着熱交換器（3）は、扁平な矩形形状に形成されており、第１空気調和室（41）における上面及び下面の面積が他の面の面積よりも大きくなる形状をしている。さらに、第１吸着熱交換器（3）には、上下方向に被処理空気が流通することで、この被処理空気の調湿を行う流通空間が形成されている。なお、第１吸着熱交換器（3）の上面には、室外空気（OA）が流入する流入面が形成されている。
【００６８】
第１吸着熱交換器（3）の上面には、室外空気（OA）の流入面に沿って第１フィルタ（第１フィルタ部）（24a）が配置形成されている。第１フィルタ（24a）は、第１吸着熱交換器（3）の上面の全域を覆うようにして配置されている。そして、第１フィルタ（24a）は、第１吸着熱交換器（3）へ流入する室外空気（OA）中の塵埃を捕集する。
【００６９】
第２空気調和室（42）は、中央仕切板（20）の前側に形成されており、上述した第２吸着熱交換器（5）が配置されている。第２吸着熱交換器（5）は、第１吸着熱交換器（3）と同様に、第２空気調和室（42）の上下方向における中央部に配置されている。そして、第２空気調和室（42）を上部の空間と下部の空間とに仕切っている。また、第２吸着熱交換器（5）には、上記第１吸着熱交換器（3）と同様に、上下方向に被処理空気が流通することで、この被処理空気の調湿を行う流通空間が形成されている。なお、第２吸着熱交換器（6）の上面には室外空気（OA）が流通する流入面が形成されている。
【００７０】
第２吸着熱交換器（5）の上面には、室外空気（OA）の流入面に沿って第２フィルタ（第２フィルタ部）（24b）が配置形成されている。第２フィルタ（24b）は、第２吸着熱交換器（5）の上面の全域を覆うようにして配置されている。そして、第２フィルタ（24b）は、第２吸着熱交換器（5）へ流入する室外空気中の塵埃を捕集する。
【００７１】
ケーシング第１側板（11）と第１仕切板（13）との間の空間は、上下に仕切られている。そして、この空間は、上側の空間が左側上部通路（第３通路）（43）を構成し、下側の空間が左側下部通路（第４通路）（44）を構成している。左側上部通路（43）は、上記第１吸込通路（33）と連通している一方、上記給気側通路（31）から仕切られている。左側下部通路（44）は、上記給気側通路（31）と連通している一方、上記第１吸込通路（33）から仕切られている。
【００７２】
ケーシング第２側板（12）と第２仕切板（14）との間の空間は、上下に仕切られている。そして、この空間は、上側の空間が右側上部通路（第５通路）（45）を構成し、下側の空間が右側下部通路（第６通路）（46）を構成している。右側上部通路（45）は、上記排気側通路（32）と連通している一方、上記第２吸込通路（34）から仕切られている。右側下部通路（46）は、上記第２吸込側通路（34)と連通している一方、上記排気側通路（32）から仕切られている。
【００７３】
また、第１仕切板（13）には、第１左上開口（第１開口）（51）、第２左上開口（第２開口）（52）、第１左下開口（第３開口）（53）、及び第２左下開口（第４開口）（54）が形成されている。第１左上開口（51）は、第１仕切板（13）における奥側の上部に形成され、第２左上開口（52）は、第１仕切板（13）における手前側の上部に形成されている。また、第１左下開口（53）は、第１仕切板（13）における奥側の下部に形成され、第２左下開口（54）は、第１仕切板(13)における手前側の下部に形成されている。
【００７４】
第１から第４までの開口（51,52,…）には、それぞれ開閉ダンパが設けられている。各開口（51,52,…）の開閉ダンパは、それぞれ独立して開の状態と閉の状態とに切換可能となっている。そして、第１左上開口（51）が開の状態となると、左側上部通路（43）と第１空気調和室（41）の上部空間とが連通される。また、第２左上開口（52）が開の状態となると、左側上部通路（43）と第２空気調和室（42）の上部空間とが連通される。さらに、第１左下開口（53）が開の状態となると、左側下部通路（44）と第１空気調和室（41）の下部空間とが連通される。また、第２左下開口（54）が開の状態となると、左側下部通路（44）と第２空気調和室（42）の下部空間とが連通される。
【００７５】
一方、第２仕切板（14）には、第１右上開口（第５開口）（55）、第２右上開口（第６開口）（56）、第１右下開口（第７開口）（57）、及び第２右下開口（第８開口）（58）が形成されている。第１右上開口（55）は、第２仕切板（14）における奥側の上部に形成され、第２右上開口（56）は、第２仕切板（14）における手前側の上部に形成されている。また、第１右下開口（57）は、第２仕切板（14）における奥側の下部に形成され、第２右下開口（58）は、第２仕切板（14）における手前側の下部に形成されている。
【００７６】
第５から第８までの開口（55,56,…）には、それぞれ開閉ダンパが設けられている。各開口（55,56,…）の開閉ダンパは、それぞれ独立して開の状態と閉の状態とに切換可能となっている。そして、第１右上開口（55）が開の状態となると、右側上部通路（45）と第１空気調和室（41）の上部空間とが連通される。また、第２右上開口（56）が開の状態となると、右側上部通路（45）と第２空気調和室（42）の上部空間とが連通される。さらに、第１右下開口（57）が開の状態となると、右側下部通路（46）と第１空気調和室（41）の下部空間とが連通される。また、第２右下開口（58）が開の状態となると、右側下部通路（46）と第２空気調和室（42）の下部空間とが連通される。
【００７７】
以上の構成の調湿装置は、上述した冷媒回路（1）内の冷媒の循環方向を切り換えるとともに、上記第１から第８の開口（51,52,…）までの開閉ダンパの開閉状態を切り換えることで、第１動作と第２動作とを交互に行うように構成されている。
【００７８】
具体的に、この調湿装置は、室外空気（OA）を第１フィルタ（24a）、第１吸着熱交換器（3）の順に流通させて室内空間へ供給すると同時に、室内空気（RA）を第２吸着熱交換器（5）、第２フィルタ（24b）の順に流通させて室外空間へ排出する第１動作と、室外空気（OA）を第２フィルタ（24b）、第２吸着熱交換器（5）の順に流通させて室内空間へ供給すると同時に、室内空気（RA）を第１吸着熱交換器（3）、第１フィルタ（24a）の順に流通させて室外空間へ排出する第２動作とを切り換えて行うように構成されている。
【００７９】
−運転動作−
次に、実施形態１に係る調湿装置の運転動作について説明する。この調湿装置は、冷媒回路（1）内の冷媒の循環方向を切り換えることで、第１動作と第２動作とを交互に切換ながらの除湿運転、又は加湿運転を継続的に行う。
【００８０】
《除湿運転》
除湿運転時の第１動作においては、冷媒回路（1）が第２状態（図１(Ｂ)の状態）となり、第１吸着熱交換器（3）が蒸発器として機能する一方、第２吸着熱交換器（5）が凝縮器として機能する。また、第２動作においては、冷媒回路（1）が第１状態（図１(Ａ)の状態）となり、第１吸着熱交換器（3）が凝縮器として機能する一方、第２吸着熱交換器（5）が蒸発器として機能する。
【００８１】
図４に示すように、給気ファン（21）及び排気ファン（22）が起動すると、室外空気（OA）が第１吸込口（15）よりケーシング（10）内に取り込まれ、第１吸込通路（33）に流入する一方、室内空気（RA）が第２吸込口（16）よりケーシング（10）内に取り込まれ、第２吸込通路（34）に流入する。
【００８２】
第１吸込通路（33）に流入した室外空気（OA）は、第１プレフィルタ（23a）を通過する。ここで、室外空気（OA）中の比較的大きな塵埃が捕集される。その後、室外空気（OA）は、左側上部通路（43）に流入する。一方、第２吸込通路（34）に流入した室内空気（RA）は、第２プレフィルタ（23b）を通過する。ここで、室内空気（RA）中の塵埃が捕集される。その後、室内空気（RA）は、右側下部通路（46）に流入する。
【００８３】
以降、除湿運転時の第１動作について、図４及び図５を参照しながら説明する。なお、図５(Ａ)は、第１，第２空気調和室（41,42）の内部を左側から視た断面図であり、図５(Ｂ)は、図５(Ａ)のＢ−Ｂ断面図、図５(Ｃ)は、図５(Ａ)のＣ−Ｃ断面図である。
【００８４】
除湿運転の第１動作では、第１左上開口（51）、第１左下開口（53）、第２右上開口（56）、及び第２右下開口（58）の開閉ダンパが開の状態となり、第２左上開口（52）、第２左下開口（54）、第１右上開口（55）、及び第１右下開口（57）の開閉ダンパが閉の状態となる。
【００８５】
したがって、左側上部通路（43）を流通する室外空気（OA）は、第１左上開口（51）より第１空気調和室（41）の上部空間に流入する。この空気は、第１フィルタ（24a）の上面より下面に向かって流通する。この際、空気中の塵埃が第１フィルタ（24a）の上面に捕集される。その後、この空気は第１吸着熱交換器（3）の流入空間を通過し、第１空気調和室（41）の下部空間に流入する。ここで、蒸発器として機能する第１吸着熱交換器（3）の吸着材によって空気中の水分が吸着される。なお、この際生じる吸着熱は、第１吸着熱交換器（3）内の冷媒の蒸発熱として利用される。
【００８６】
以上のように第１フィルタ（24a）で塵埃が除去されるとともに第１吸着熱交換器（3）で減湿された空気は、第１左下開口（53）より左側下部通路（44）へ流入する。そして、この空気は、給気側通路（31）を流通した後、給気口（17）より調湿空気（SA）として室内空間へ供給される。
【００８７】
一方、右側下部通路（46）を流通する室内空気（RA）は、第２右下開口（58）より第２空気調和室（41）の下部空間に流入する。そして、この空気は、上方向に流れて第２吸着熱交換器（5）の流入空間を流通する。ここで、凝縮器として機能する第２吸着熱交換器（5）の吸着材が加熱され、吸着材に吸着された水分が脱着されると、この水分が空気に付与されるとともに第２吸着熱交換器（5）の吸着材が再生される。
【００８８】
第２吸着熱交換器（5）を通過した空気は、第２フィルタ（24b）の下面より上面に向かって流通する。ここで、後述の第２動作によって、第２フィルタ（24b）の上面に捕集された塵埃が、第２フィルタ（24b）を上方に流れる空気によって飛ばされ、第２フィルタ（24b）の上面の塵埃が除去される。そして、この塵埃は、第２フィルタ（24b）を通過した空気によって第２空気調和室（42）の外部に圧送される。
【００８９】
以上のように第２吸着熱交換器（5）の吸着材の再生に利用されるとともに、第２フィルタ（24b）の塵埃を含んだ空気は、第２右上開口（56）より右側上部通路（45）へ流入する。そして、この空気は、排気側通路（32）を流通した後、排気口（18）より排出空気（EA）として室外空間へ排出される。
【００９０】
次に、除湿運転時の第２動作について、図６及び図７を参照しながら説明する。なお、図７(Ａ)は、第１，第２空気調和室（41,42）の内部を左側から視た断面図であり、図７(Ｂ)は、図７(Ａ)のＢ−Ｂ断面図、図７(Ｃ)は、図７(Ａ)のＣ−Ｃ断面図である。
除湿運転の第２動作では、第２左上開口（52）、第２左下開口（54）、第１右上開口（55）、及び第１右下開口（57）の開閉ダンパが開の状態となり、第１左上開口（51）、第１左下開口（53）、第２右上開口（56）、及び第２右下開口（58）の開閉ダンパが閉の状態となる。
【００９１】
したがって、左側上部通路（43）を流通する室外空気（OA）は、第２左上開口（52）より第２空気調和室（42）の上部空間に流入する。この空気は、第２フィルタ（24b）の上面より下面に向かって流通する。この際、空気中の塵埃が第２フィルタ（24b）の上面に捕集される。その後、この空気は第２吸着熱交換器（5）の流入空間を通過し、第２空気調和室（42）の下部空間に流入する。ここで、蒸発器として機能する第２吸着熱交換器（5）の吸着材によって空気中の水分が吸着される。なお、この際生じる吸着熱は、第２吸着熱交換器（5）内の冷媒の蒸発熱として利用される。
【００９２】
以上のように第２フィルタ（24b）で塵埃が除去されるとともに第２吸着熱交換器（5）で減湿された空気は、第２左下開口（54）より左側下部通路（44）へ流入する。そして、この空気は、給気側通路（31）を流通した後、給気口（17）より調湿空気（SA）として室内空間へ供給される。
【００９３】
一方、右側下部通路（46）を流通する室内空気（RA）は、第１右下開口（57）より第１空気調和室（41）の下部空間に流入する。そして、この空気は、上方向に流れて第１吸着熱交換器（3）の流入空間を流通する。ここで、凝縮器として機能する第１吸着熱交換器（3）の吸着材が加熱され、吸着材に吸着された水分が脱着されると、この水分が空気に付与されるとともに第１吸着熱交換器（1）の吸着材が再生される。
【００９４】
第１吸着熱交換器（3）を通過した空気は、第１フィルタ（24a）の下面より上面に向かって流通する。ここで、上述の第１動作によって、第１フィルタ（24a）の上面に捕集された塵埃が、第１フィルタ（24a）を上方に流れる空気によって飛ばされ、第１フィルタ（24a）の上面の塵埃が除去される。そして、この塵埃は、第１フィルタ（24a）を通過した空気によって第１空気調和室（41）の外部に圧送される。
【００９５】
以上のように第１吸着熱交換器（3）の吸着材の再生に利用されるとともに、第１フィルタ（24a）の塵埃を含んだ空気は、第１右上開口（55）より右側上部通路（45）へ流入する。そして、この空気は、排気側通路（32）を流通した後、排気口（18）より排出空気（EA）として室外空間へ排出される。
【００９６】
《加湿運転》
加湿運転時の第１動作においては、冷媒回路（1）が第１状態（図１(Ａ)の状態）となり、第１吸着熱交換器（3）が凝縮器として機能する一方、第２吸着熱交換器（5）が蒸発器として機能する。また、第２動作においては、冷媒回路（1）が第２状態（図１(Ｂ)の状態）となり、第１吸着熱交換器（3）が蒸発器として機能する一方、第２吸着熱交換器（5）が凝縮器として機能する。
【００９７】
図４に示すように、給気ファン（21）及び排気ファン（22）が起動すると、室外空気（OA）が第１吸込口（15）よりケーシング（10）内に取り込まれ、第１吸込通路（33）に流入する一方、室内空気（RA）が第２吸込口（16）よりケーシング（10）内に取り込まれ、第２吸込通路（34）に流入する。
【００９８】
第１吸込通路（33）に流入した室外空気（OA）は、第１プレフィルタ（23a）を通過する。ここで、室外空気（OA）中の比較的大きな塵埃が捕集される。その後、室外空気（OA）は、左側上部通路（43）に流入する。一方、第２吸込通路（34）に流入した室内空気（RA）は、第２プレフィルタ（23b）を通過する。ここで、室内空気（RA）中の塵埃が捕集される。その後、室内空気（RA）は、右側下部通路（46）に流入する。
【００９９】
以降、加湿運転時の第１動作について、図４及び図５を参照しながら説明する。加湿運転の第１動作では、第１左上開口（51）、第１左下開口（53）、第２右上開口（56）、及び第２右下開口（58）の開閉ダンパが開の状態となり、第２左上開口（52）、第２左下開口（54）、第１右上開口（55）、及び第１右下開口（57）の開閉ダンパが閉の状態となる。
【０１００】
したがって、左側上部通路（43）を流通する室外空気（OA）は、第１左上開口（51）より第１空気調和室（41）の上部空間に流入する。この空気は、第１フィルタ（24a）の上面より下面に向かって流通する。この際、空気中の塵埃が第１フィルタ（24a）の上面に捕集される。その後、この空気は第１吸着熱交換器（3）の流入空間を通過し、第１空気調和室（41）の下部空間に流入する。ここで、凝縮器として機能する第１吸着熱交換器（3）の吸着材が加熱され、吸着材に吸着された水分が脱着されると、この水分が空気に付与される。
【０１０１】
以上のように第１フィルタ（24a）で塵埃が除去されるとともに第１吸着熱交換器（3）で加湿された空気は、第１左下開口（53）より左側下部通路（44）へ流入する。そして、この空気は、給気側通路（31）を流通した後、給気口（17）より調湿空気（SA）として室内空間へ供給される。
【０１０２】
一方、右側下部通路（46）を流通する室内空気（RA）は、第２右下開口（58）より第２空気調和室（41）の下部空間に流入する。そして、この空気は、上方向に流れて第２吸着熱交換器（5）の流入空間を流通する。ここで、蒸発器として機能する第２吸着熱交換器（5）の吸着材によって空気中の水分が吸着される。なお、この際生じる吸着熱は、第２吸着熱交換器（5）内の冷媒の蒸発熱として利用される。
【０１０３】
第２吸着熱交換器（5）を通過した空気は、第２フィルタ（24b）の下面より上面に向かって流通する。ここで、後述の第２動作によって、第２フィルタ（24b）の上面に捕集された塵埃が、第２フィルタ（24b）を上方に流れる空気によって飛ばされ、第２フィルタ（24b）の上面の塵埃が除去される。そして、この塵埃は、第２フィルタ（24b）を通過した空気によって第２空気調和室（42）の外部に圧送される。
【０１０４】
以上のように第２吸着熱交換器（5）の吸着材に水分を付与するとともに、第２フィルタ（24b）の塵埃を含んだ空気は、第２右上開口（56）より右側上部通路（45）へ流入する。そして、この空気は、排気側通路（32）を流通した後、排気口（18）より排出空気（EA）として室外空間へ排出される。
【０１０５】
次に、加湿運転時の第２動作について、図６及び図７を参照しながら説明する。加湿運転の第２動作では、第２左上開口（52）、第２左下開口（54）、第１右上開口（55）、及び第１右下開口（57）の開閉ダンパが開の状態となり、第１左上開口（51）、第１左下開口（53）、第２右上開口（56）、及び第２右下開口（58）の開閉ダンパが閉の状態となる。
【０１０６】
したがって、左側上部通路（43）を流通する室外空気（OA）は、第２左上開口（52）より第２空気調和室（42）の上部空間に流入する。この空気は、第２フィルタ（24b）の上面より下面に向かって流通する。この際、空気中の塵埃が第２フィルタ（24b）の上面に捕集される。その後、この空気は第２吸着熱交換器（5）の流入空間を通過し、第２空気調和室（42）の下部空間に流入する。ここで、凝縮器として機能する第２吸着熱交換器（5）の吸着材が加熱され、吸着材に吸着された水分が脱着されると、この水分が空気に付与される。
【０１０７】
以上のように第２フィルタ（24b）で塵埃が除去されるとともに第２吸着熱交換器（5）で加湿された空気は、第２左下開口（54）より左側下部通路（44）へ流入する。そして、この空気は、給気側通路（31）を流通した後、給気口（17）より調湿空気（SA）として室内空間へ供給される。
【０１０８】
一方、右側下部通路（46）を流通する室内空気（RA）は、第１右下開口（57）より第１空気調和室（41）の下部空間に流入する。そして、この空気は、上方向に流れて第１吸着熱交換器（3）の流入空間を流通する。ここで、蒸発器として機能する第１吸着熱交換器（3）の吸着材によって空気中の水分が吸着される。なお、この際生じる吸着熱は、第１吸着熱交換器（3）内の冷媒の蒸発熱として利用される。
【０１０９】
第１吸着熱交換器（3）を通過した空気は、第１フィルタ（24a）の下面より上面に向かって流通する。ここで、上述の第１動作によって、第１フィルタ（24a）の上面に捕集された塵埃が、第１フィルタ（24a）を上方に流れる空気によって飛ばされ、第１フィルタ（24a）の上面の塵埃が除去される。そして、この塵埃は、第１フィルタ（24a）を通過した空気によって第１空気調和室（41）の外部に圧送される。
【０１１０】
以上のように第１吸着熱交換器（3）の吸着材に水分を付与するとともに、第１フィルタ（24a）の塵埃を含んだ空気は、第１右上開口（55）より右側上部通路（45）へ流入する。そして、この空気は、排気側通路（32）を流通した後、排気口（18）より排出空気（EA）として室外空間へ排出される。
【０１１１】
−実施形態１の効果−
実施形態１に係る調湿装置によれば、吸着部としての第１，第２吸着熱交換器（3,5）における室外空気（OA）の流入面に沿って室外側フィルタ（24a,24b）を配置形成するようにしている。ここで、第１，第２吸着熱交換器（3,5）の流入面は、他面と比較して大面積となっている。このため、室外側フィルタ（24a,24b）のフィルタ面を大きくとることができる。したがって、室外側フィルタ（24a,24b）を流通する室外空気（OA）の線速度を遅くさせることができ、室外側フィルタ（24a,24b）の設置に起因する圧力損失の上昇を抑制できる。また、室外空気（OA）中の塵埃が、室外側フィルタ（24a,24b）に局所的に捕集されにくくなるため、室外側フィルタ（24a,24b）における塵埃の目詰まりを抑制でき、圧力損失の上昇を一層抑制できる。
【０１１２】
また、実施形態１の調湿装置では、第１動作時において第１フィルタ（24a）に捕集された室外空気（OA）中の塵埃を第２動作時における室内空気（RA）によって吹き飛ばし、室外空間へ排出するようにしている。逆に、第２動作時において第２フィルタ（24b）に捕集された室外空気（OA）中の塵埃を第１動作時における室内空気（RA）によって吹き飛ばし、室外空間へ排出するようにしている。このように、第１動作と第２動作とを切換ながら、室外側フィルタ（24a,24b）に捕集された塵埃を交互に除去することで、室外側フィルタ（24a,24b）における塵埃の目詰まりを自動的に解消することができ、室外側フィルタ（24a,24b）の交換やメンテナンスの頻度を低減させることができる。
【０１１３】
また、実施形態１の調湿装置では、上記室外側フィルタ（24a,24b）に加え、第１プレフィルタ（23a）を設けることによって、室外空気（OA）中の比較的大きな塵埃がケーシング（10）の内部へ入り込むことを抑制している。したがって、第１，第２吸着熱交換器（3,5）における塵埃の付着を一層抑制できる。
【０１１４】
さらに、実施形態１の調湿装置では、第２プレフィルタ（室内側フィルタ）（23b）を設けることによって、室内空気（RA）中の塵埃が第１，第２吸着熱交換器（3,5）に付着してしまうことを抑制している。したがって、第１，第２吸着熱交換器（3,5）における塵埃付着によって吸脱着性能が低下してしまうことを抑制できる。
【０１１５】
−実施形態１の変形例１−
次に実施形態１に係る調湿装置の変形例１について、図８及び図９を参照しながら説明する。この変形例１に係る調湿装置は、実施形態１の調湿装置とほぼ同様の構成において、プレフィルタ（23）、及びこのプレフィルタ（23）が配置される第１，第２吸込通路（33,34）を備えていないものである。また、第１空気調和室（41）に配置される第１フィルタ（24a）と，第２空気調和室（42）に配置される第２フィルタ（24b）とは一体となって室外側フィルタ（24）を構成している。
【０１１６】
具体的に、変形例１の調湿装置は、第１吸込口（15）と左側上部通路（43）とが直接連通している一方、第２吸込口（16）と右側下部通路（46）とが直接連通している。また、第１，第２吸着熱交換器（3,5)の上面には、第１フィルタ（24a）と第２フィルタ（24b）とが一体となって構成された室外側フィルタ（24）が配置形成されている。そして、室外側フィルタ（24）は、第１，第２吸着熱交換器（3,5）における室外空気（OA）の流入面の双方に沿いながら跨って配置形成されている。さらに、ケーシング（10）の後面パネル（10a）には、上記室外側フィルタ（24）を取り出し可能な取出し口（61）が形成されている。
【０１１７】
この変形例１の調湿装置においても、室外側フィルタ（24）を各吸着熱交換器（3,5）の流入面に沿って配置形成することで、各流入面に流入する空気の線速度を低減させることができ、室外側フィルタ（24）の圧力損失の低減を図ることができる。また、室外空気の流れに対してフィルタ面を大きくとることで、室外空気中の塵埃をフィルタ面上で分散させて捕集することができる。したがって、室外側フィルタ（24）の目詰まりを抑制でき、室外側フィルタ（24）の圧力損失の低減を一層図ることができる。
【０１１８】
また、この変形例１においては、第１，第２フィルタ（24a,24b）を一体的に構成することで、室外側フィルタ（24）をコンパクトに形成することができる。さらに、ケーシング（10）に取出し口（61）を設けることで、図９に示すように、室外側フィルタ（24）を容易にケーシング（10）の外部に取り出したり、ケーシング（10）の内部に付けたりすることができる。この際、室外側フィルタ（24）は一体に構成されているため、室外側フィルタ（24）の交換やメンテナンスの作業性が向上する。
【０１１９】
−実施形態１の変形例２−
次に実施形態１に係る調湿装置の変形例２について、図１０を参照しながら説明する。この変形例２に係る調湿装置は、実施形態１の調湿装置とほぼ同様の構成において、室内空気（RA）中の塵埃を捕集する第２プレフィルタ（室内側フィルタ）（23b）が、ケーシング（10）より室内空間へ延びて形成された吸引ダクト（吸引口）（63）の開口部近傍に配置されているものである。なお、上記吸引ダクト（63）は、第２吸込口（16）を介して右側下部通路（46）と連通している。したがって、この吸引ダクト（63）は、室内空気（RA）をケーシング（10）内へ導入する室内空気供給通路として機能している。したがって、この吸引ダクト（63）に室内側フィルタ（23b）を設けることで、室内空気（RA）中の塵埃をプレフィルタ（23b）で捕集でき、室内空気（RA）中の塵埃が第１，第２吸着熱交換器（3）の下面に付着してしまうことを抑制できる。
【０１２０】
また、この変形例２においても、室外空気（OA）中の塵埃は、第１，第２フィルタ（24a,24b）によって捕集された後、第１動作と第２動作との切換によってこれらの塵埃が室外空間に排出される。このため、第１，第２フィルタ（24a,24b）のメンテナンスの頻度を低減できるようになっている。
【０１２１】
一方、この変形例２では、塵埃の除去を自動的に行えない室内側フィルタ（23b）を室内空間に面する吸引ダクト（63）の開口部近傍に配置している。このため、室内空間側から上記プレフィルタ（23b）のメンテナンスを行うことができる。したがって、調湿装置が例えば天井埋込型の調湿装置であった場合にも、プレフィルタ（23b）のメンテナンスを容易に行うことができる。
【０１２２】
《発明の実施形態２》
次に、実施形態２に係る調湿装置について説明する。
【０１２３】
実施形態２に係る調湿装置は、実施形態１の調湿装置と空気通路の構成が異なるものである。以下に実施形態１の調湿装置と異なる点について図１１を参照しながら説明する。なお、図１１において、図１１(Ａ)は調湿装置の平面図、図１１(Ｂ)は調湿装置の内部を左側から視た図、図１１(Ｃ)は調湿装置の内部を右側から視た図、図１１(Ｄ)は調湿装置の内部を後側から視た図、図１１(Ｅ)は調湿装置の内部を前側から視た図である。
【０１２４】
実施形態２の調湿装置（10）は、実施形態１よりも扁平な矩形箱形のケーシング（10）を備えており、ケーシング（10）の内部には、室内空間と室外空間とを連通させる空気通路が形成されている。ケーシング（10）には、最も奥側にケーシング第１側板（11）が形成され、最も手前側にケーシング第２側板（12）が形成されている。
【０１２５】
ケーシング第１側板（11）の左側寄りの下部には、室外空間からの室外空気（OA）を取り入れる第１吸込口（15）が形成され、ケーシング第２側板（12）の右側寄りの上部には、室内空間からの室内空気（RA）を取り入れる第２吸込口（16）が形成されている。一方、ケーシング第２側板（12）の左側寄りの上部には、排出空気（OA）を室外空間へ排出する排気口（18）が形成され、ケーシング第２側板（12）の右側寄りの下部には、調湿空気（SA）を室内空間へ供給する給気口（17）が形成されている。
【０１２６】
ケーシング（10）の内部は、前方より順に、第１仕切板（13），第２仕切板（14），吹出側仕切板（19）によって前後方向に大略４つの空間に仕切られている。この４つの空間のうち、ケーシング第２側板（12）の一番近くに形成された空間は、左右に２つの空間に仕切られている。そして、この２つ空間のうち、左側の空間が排気側通路（32）を構成し、右側の空間が給気側通路（31）を構成している。
【０１２７】
上記排気側通路（32）は、上下に２つの空間に仕切られている。そして、この２つの空間のうち、上側の空間は、排気口（18）を介して室外空間と連通している。また、この空間には、排気ファン（22）が設置されている。一方排気側通路（32）における下側の空間には、上記排気ファン（22）の吸入口が臨んでいる。なお、実施形態２では、実施形態１のように圧縮機（7）が排気側通路（32）に配置されておらず、ケーシング（10）の外部に設けられている（図示省略）。一方、給気側通路（31）は、上下に仕切られておらず、給気口（17）を介して室内空間と連通している。この給気側通路（31）には、給気ファン（21）が設置されている。
【０１２８】
第１仕切板（13）と第２仕切板（14）との間の空間は、中央仕切板（20）によって第１空気調和室（第１通路）（41）と第２空気調和室（第２通路）（42）とに仕切られている。
【０１２９】
第１空気調和室（41）は、中央仕切板（20）の左側に形成されており、第１吸着熱交換器（3）が配置されている。第１吸着熱交換器（3）は、図１１(Ｂ)に示すように、第１空気調和室（41）の上下方向における中央部に配置されている。そして、第１空気調和室（41）を上部の空間と下部の空間とに仕切っている。また、第１吸着熱交換器（3）は、扁平な矩形形状に形成されており、第１空気調和室（41）における上面及び下面の面積が他の面の面積よりも大きくなる形状をしている。さらに、第１吸着熱交換器（3）には、上下方向に空気が流通する流通空間が形成されている。そして、第１吸着熱交換器（3）の下面には、室外空気（OA）が流入する流入面が形成されている。
【０１３０】
また、第１吸着熱交換器（3）の下面には、室外空気の流入面に沿って第１フィルタ（第１フィルタ部）（24a）が配置形成されている。第１フィルタ（24a）は、第１吸着熱交換器（3）の下面の全域を覆うようにして配置されている。そして、第１フィルタ（24a）は、第１吸着熱交換器（3）へ流入する室外空気中の塵埃を捕集する。
【０１３１】
第２空気調和室（42）は、中央仕切板（20）の右側に形成されており、上述した第２吸着熱交換器（5）が配置されている。第２吸着熱交換器（5）は、第１吸着熱交換器（3）と同様に、第２空気調和室（42）の上下方向における中央部に配置されている。そして、第２空気調和室（42）を上部の空間と下部の空間とに仕切っている。また、第２吸着熱交換器（5）には、上記第１吸着熱交換器（3）と同様に、上下方向に空気が流通する流通空間が形成され、その下面には室外空気（OA）が流通する流入面が形成されている。
【０１３２】
また、第２吸着熱交換器（5）の下面には、室外空気の流入面に沿って第２フィルタ（第２フィルタ部）（24b）が配置形成されている。第２フィルタ（24b）は、第２吸着熱交換器（5）の下面の全域を覆うようにして配置されている。そして、第２フィルタ（24b）は、第２吸着熱交換器（5）へ流入する室外空気中の塵埃を捕集する。
【０１３３】
なお、上記第１フィルタ（24a）及び第２フィルタ（24b）は、一体的に室外側フィルタ（24）を構成している。そして、室外側フィルタ（24）は、第１吸熱交換機（3）の流入面と第２吸着熱交換器（5）の流入面との双方に跨って配置されている。
【０１３４】
ケーシング第１側板（11）と第１仕切板（13）との間の空間は、上下に仕切られている。そして、この空間は、上側の空間が室内空気供給通路としての後側上部通路（第３通路）（43）を構成し、下側の空間が後側下部通路（第４通路）（44）を構成している。後側上部通路（43）は、第２吸込口（16）を介して室内空間と連通している。また、後側上部通路（43）には、室内側フィルタ（23b）が配置されている。この室内側フィルタ（23b）は、第２吸引口（22）より吸引された室内空気中の塵埃を捕集する。一方、後側下部通路（44）は、第１吸込口（15）を介して室外空間と連通している。
【０１３５】
第２仕切板（12）と上記第３仕切板（19）との間の空間は、上下に仕切られている。そして、この空間は、上側の空間が前側上部通路（第５通路）（45）を構成し、下側の空間が前側下部通路（第６通路）（46）を構成している。前側上部通路（45）は、上記給気側通路（31）と連通している。一方、前側下部通路（46）は、上記排気側通路（31）の下側の空間と連通している。
【０１３６】
また、第１仕切板（13）には、第１後上開口（第１開口）（51）、第２後上開口（第２開口）（52）、第１後下開口（第３開口）（53）、及び第２後下開口（第４開口）（54）が形成されている。第１後上開口（51）は、第１仕切板（13）における左側の上部に形成され、第２後上開口（52）は、第１仕切板（13）における右側の上部に形成されている。また、第１後下開口（53）は、第１仕切板（13）における左側の下部に形成され、第２後下開口（54）は、第１仕切板(13)における右側の下部に形成されている。
【０１３７】
第１から第４までの開口（51,52,…）には、それぞれ開閉ダンパが設けられている。各開口（51,52,…）の開閉ダンパは、それぞれ独立して開の状態と閉の状態とに切換可能となっている。そして、第１後上開口（51）が開の状態となると、後側上部通路（43）と第１空気調和室（41）の上部空間とが連通される。また、第２後上開口（52）が開の状態となると、後側上部通路（43）と第２空気調和室（42）の上部空間とが連通される。さらに、第１後下開口（53）が開の状態となると、後側下部通路（44）と第１空気調和室（41）の下部空間とが連通される。また、第２後下開口（54）が開の状態となると、後側下部通路（44）と第２空気調和室（42）の下部空間とが連通される。
【０１３８】
一方、第２仕切板（14）には、第１前上開口（第５開口）（55）、第２前上開口（第６開口）（56）、第１前下開口（第７開口）（57）、及び第２前下開口（第８開口）（58）が形成されている。第１前上開口（55）は、第２仕切板（14）における左側の上部に形成され、第２前上開口（56）は、第２仕切板（14）における右側の上部に形成されている。また、第１前下開口（57）は、第２仕切板（14）における左側の下部に形成され、第２前下開口（58）は、第２仕切板（14）における右側の下部に形成されている。
【０１３９】
第５から第８までの開口（55,56,…）には、それぞれ開閉ダンパが設けられている。各開口（55,56,…）の開閉ダンパは、それぞれ独立して開の状態と閉の状態とに切換可能となっている。そして、第１前上開口（55）が開の状態となると、前側上部通路（45）と第１空気調和室（41）の上部空間とが連通される。また、第２前上開口（56）が開の状態となると、前側上部通路（45）と第２空気調和室（42）の上部空間とが連通される。さらに、第１前下開口（57）が開の状態となると、前側下部通路（46）と第１空気調和室（41）の下部空間とが連通される。また、第２前下開口（58）が開の状態となると、前側下部通路（46）と第２空気調和室（42）の下部空間とが連通される。
【０１４０】
また、ケーシング（10）の右側板（10a）には、上記室内側フィルタ（23b）を取り出し可能な第１取出し口（61a）と、上記室外側フィルタ（24）を取り出し可能な第２取出し口（61b）とが設けられている。
【０１４１】
−運転動作−
次に、実施形態２に係る調湿装置の運転動作について説明する。この調湿装置は、実施形態１の調湿装置と同様に、冷媒回路（1）内の冷媒の循環方向を切り換えることで、第１動作と第２動作とを交互に切換ながらの除湿運転、又は加湿運転を継続的に行う。
【０１４２】
《除湿運転》
除湿運転時の第１動作においては、冷媒回路（1）が第２状態（図１(Ｂ)の状態）となり、第１吸着熱交換器（3）が蒸発器として機能する一方、第２吸着熱交換器（5）が凝縮器として機能する。また、第２動作においては、冷媒回路（1）が第１状態（図１(Ａ)の状態）となり、第１吸着熱交換器（3）が凝縮器として機能する一方、第２吸着熱交換器（5）が蒸発器として機能する。
【０１４３】
図１２に示すように、給気ファン（21）及び排気ファン（22）が起動すると、室外空気（OA）が第１吸込口（15）よりケーシング（10）内に取り込まれ、後側下部通路（44）に流入する一方、室内空気（RA）が第２吸込口（16）よりケーシング（10）内に取り込まれ、後側上部通路（43）に流入する。ここで、後側上部通路（43）に流入した室内空気（RA）は、室内側フィルタ（23b）を通過する。この際、室内空気（RA）中の塵埃が捕集される。
【０１４４】
以降、除湿運転時の第１動作について、図１２を参照しながら説明する。除湿運転の第１動作では、第２後上開口（52）、第１後下開口（53）、第１前上開口（55）、及び第２前下開口（58）の開閉ダンパが開の状態となり、第１後上開口（51）、第２後下開口（54）、第２前上開口（56）、及び第１前下開口（57）の開閉ダンパが閉の状態となる。
【０１４５】
したがって、後側下部通路（44）を流通する室外空気（OA）は、第１後下開口（53）より第１空気調和室（41）の下部空間に流入する。この空気は、第１フィルタ（24a）の下面より上面に向かって流通する。この際、空気中の塵埃が第１フィルタ（24a）の下面に捕集される。その後、この空気は第１吸着熱交換器（3）の流入空間を通過し、第１空気調和室（41）の上部空間に流入する。ここで、蒸発器として機能する第１吸着熱交換器（3）の吸着材によって空気中の水分が吸着される。なお、この際生じる吸着熱は、第１吸着熱交換器（3）内の冷媒の蒸発熱として利用される。
【０１４６】
以上のように第１フィルタ（24a）で塵埃が除去されるとともに第１吸着熱交換器（3）で減湿された空気は、第１前上開口（55）より前側上部通路（45）へ流入する。そして、この空気は、給気側通路（31）を流通した後、給気口（17）より調湿空気（SA）として室内空間へ供給される。
【０１４７】
一方、後側上部通路（43）を流通する室内空気（RA）は、第２後上開口（52）より第２空気調和室（42）の上部空間に流入する。そして、この空気は、下方向に流れて第２吸着熱交換器（5）の流入空間を流通する。ここで、凝縮器として機能する第２吸着熱交換器（5）の吸着材が加熱され、吸着材に吸着された水分が脱着されると、この水分が空気に付与されるとともに第２吸着熱交換器（5）の吸着材が再生される。
【０１４８】
第２吸着熱交換器（5）を通過した空気は、第２フィルタ（24b）の上面より下面に向かって流通する。ここで、後述の第２動作によって、第２フィルタ（24b）の下面に捕集された塵埃が、第２フィルタ（24b）を下方に流れる空気によって飛ばされ、第２フィルタ（24b）の下面の塵埃が除去される。そして、この塵埃は、第２フィルタ（24b）を通過した空気によって第２空気調和室（42）の外部に圧送される。
【０１４９】
以上のように第２吸着熱交換器（5）の吸着材の再生に利用されるとともに、第２フィルタ（24b）の塵埃を含んだ空気は、第２前下開口（58）より前側下部通路（46）へ流入する。そして、この空気は、排気側通路（32）における下側の空間において排気ファン（22）の吸引口に吸引され、排気口（18）より排出空気（EA）として室外空間へ排出される。
【０１５０】
次に、除湿運転時の第２動作について、図１３を参照しながら説明する。除湿運転の第２動作では、第１後上開口（51）、第２後下開口（54）、第２前上開口（56）、及び第１前下開口（57）の開閉ダンパが開の状態となり、第２後上開口（52）、第１後下開口（53）、第１前上開口（55）、及び第２前下開口（58）の開閉ダンパが閉の状態となる。
【０１５１】
したがって、後側下部通路（44）を流通する室外空気（OA）は、第２後下開口（54）より第２空気調和室（42）の下部空間に流入する。この空気は、第２フィルタ（24b）の下面より上面に向かって流通する。この際、空気中の塵埃が第２フィルタ（24b）の下面に捕集される。その後、この空気は第２吸着熱交換器（5）の流入空間を通過し、第２空気調和室（42）の上部空間に流入する。ここで、蒸発器として機能する第２吸着熱交換器（5）の吸着材によって空気中の水分が吸着される。なお、この際生じる吸着熱は、第２吸着熱交換器（5）内の冷媒の蒸発熱として利用される。
【０１５２】
以上のように第２フィルタ（24b）で塵埃が除去されるとともに第２吸着熱交換器（5）で減湿された空気は、第２前上開口（56）より前側上部通路（45）へ流入する。そして、この空気は、給気側通路（31）を流通した後、給気口（17）より調湿空気（SA）として室内空間へ供給される。
【０１５３】
一方、後側上部通路（43）を流通する室内空気（RA）は、第１後上開口（51）より第１空気調和室（41）の上部空間に流入する。そして、この空気は、下方向に流れて第１吸着熱交換器（3）の流入空間を流通する。ここで、凝縮器として機能する第１吸着熱交換器（3）の吸着材が加熱され、吸着材に吸着された水分が脱着されると、この水分が空気に付与されるとともに第１吸着熱交換器（1）の吸着材が再生される。
【０１５４】
第１吸着熱交換器（3）を通過した空気は、第１フィルタ（24a）の上面より下面に向かって流通する。ここで、上述の第１動作によって、第１フィルタ（24a）の下面に捕集された塵埃が、第１フィルタ（24a）を下方に流れる空気によって飛ばされ、第１フィルタ（24a）の下面の塵埃が除去される。そして、この塵埃は、第１フィルタ（24a）を通過した空気によって第１空気調和室（41）の外部に圧送される。
【０１５５】
以上のように第１吸着熱交換器（3）の吸着材の再生に利用されるとともに、第１フィルタ（24a）の塵埃を含んだ空気は、第１前下開口（57）より前側下部通路（46）へ流入する。そして、この空気は、排気側通路（32）における下側の空間において排気ファン（22）の吸引口に吸引され、排気口（18）より排出空気（EA）として室外空間へ排出される。
【０１５６】
《加湿運転》
加湿運転時の第１動作においては、冷媒回路（1）が第１状態（図１(Ａ)の状態）となり、第１吸着熱交換器（3）が凝縮器として機能する一方、第２吸着熱交換器（5）が蒸発器として機能する。また、第２動作においては、冷媒回路（1）が第２状態（図１(Ｂ)の状態）となり、第１吸着熱交換器（3）が蒸発器として機能する一方、第２吸着熱交換器（5）が凝縮器として機能する。
【０１５７】
また、給気ファン（21）及び排気ファン（22）が起動すると、室外空気（OA）が第１吸込口（15）よりケーシング（10）内に取り込まれ、後側下部通路（44）に流入する一方、室内空気（RA）が第２吸込口（16）よりケーシング（10）内に取り込まれ、後側上部通路（43）に流入する。ここで、後側上部通路（43）に流入した室内空気（RA）は、室内側フィルタ（23b）を通過する。この際、室内空気（RA）中の塵埃が捕集される。
【０１５８】
以降、加湿運転時の第１動作について、図１２を参照しながら説明する。加湿運転の第１動作では、第２後上開口（52）、第１後下開口（53）、第１前上開口（55）、及び第２前下開口（58）の開閉ダンパが開の状態となり、第１後上開口（51）、第２後下開口（54）、第２前上開口（56）、及び第１前下開口（57）の開閉ダンパが閉の状態となる。
【０１５９】
したがって、後側下部通路（44）を流通する室外空気（OA）は、第１後下開口（53）より第１空気調和室（41）の下部空間に流入する。この空気は、第１フィルタ（24a）の下面より上面に向かって流通する。この際、空気中の塵埃が第１フィルタ（24a）の下面に捕集される。その後、この空気は第１吸着熱交換器（3）の流入空間を通過し、第１空気調和室（41）の上部空間に流入する。ここで、凝縮器として機能する第１吸着熱交換器（3）の吸着材が加熱され、吸着材に吸着された水分が脱着されると、この水分が空気に付与される。
【０１６０】
以上のように第１フィルタ（24a）で塵埃が除去されるとともに第１吸着熱交換器（3）で加湿された空気は、第１前上開口（55）より前側上部通路（45）へ流入する。そして、この空気は、給気側通路（31）を流通した後、給気口（17）より調湿空気（SA）として室内空間へ供給される。
【０１６１】
一方、後側上部通路（43）を流通する室内空気（RA）は、第２後上開口（52）より第２空気調和室（42）の上部空間に流入する。そして、この空気は、下方向に流れて第２吸着熱交換器（5）の流入空間を流通する。ここで、蒸発器として機能する第２吸着熱交換器（5）の吸着材によって空気中の水分が吸着される。なお、この際生じる吸着熱は、第２吸着熱交換器（5）内の冷媒の蒸発熱として利用される。
【０１６２】
第２吸着熱交換器（5）を通過した空気は、第２フィルタ（24b）の上面より下面に向かって流通する。ここで、後述の第２動作によって、第２フィルタ（24b）の下面に捕集された塵埃が、第２フィルタ（24b）を下方に流れる空気によって飛ばされ、第２フィルタ（24b）の下面の塵埃が除去される。そして、この塵埃は、第２フィルタ（24b）を通過した空気によって第２空気調和室（42）の外部に圧送される。
【０１６３】
以上のように第２吸着熱交換器（5）の吸着材に水分を付与するとともに、第２フィルタ（24b）の塵埃を含んだ空気は、第２前下開口（58）より前側下部通路（46）へ流入する。そして、この空気は、排気側通路（32）における下側の空間において排気ファン（22）の吸引口に吸引され、排気口（18）より排出空気（EA）として室外空間へ排出される。
【０１６４】
次に、加湿運転時の第２動作について、図１３を参照しながら説明する。加湿運転の第２動作では、第１後上開口（51）、第２後下開口（54）、第２前上開口（56）、及び第１前下開口（57）の開閉ダンパが開の状態となり、第２後上開口（52）、第１後下開口（53）、第１前上開口（55）、及び第２前下開口（58）の開閉ダンパが閉の状態となる。
【０１６５】
したがって、後側下部通路（44）を流通する室外空気（OA）は、第２後下開口（54）より第２空気調和室（42）の下部空間に流入する。この空気は、第２フィルタ（24b）の下面より上面に向かって流通する。この際、空気中の塵埃が第２フィルタ（24b）の下面に捕集される。その後、この空気は第２吸着熱交換器（5）の流入空間を通過し、第２空気調和室（42）の上部空間に流入する。ここで、凝縮器として機能する第２吸着熱交換器（5）の吸着材が加熱され、吸着材に吸着された水分が脱着されると、この水分が空気に付与される。
【０１６６】
以上のように第２フィルタ（24b）で塵埃が除去されるとともに第２吸着熱交換器（5）で加湿された空気は、第２前上開口（56）より前側上部通路（45）へ流入する。そして、この空気は、給気側通路（31）を流通した後、給気口（17）より調湿空気（SA）として室内空間へ供給される。
【０１６７】
一方、後側上部通路（43）を流通する室内空気（RA）は、第１後上開口（51）より第１空気調和室（41）の上部空間に流入する。そして、この空気は、下方向に流れて第１吸着熱交換器（3）の流入空間を流通する。ここで、蒸発器として機能する第１吸着熱交換器（3）の吸着材によって空気中の水分が吸着される。なお、この際生じる吸着熱は、第１吸着熱交換器（3）内の冷媒の蒸発熱として利用される。
【０１６８】
第１吸着熱交換器（3）を通過した空気は、第１フィルタ（24a）の上面より下面に向かって流通する。ここで、上述の第１動作によって、第１フィルタ（24a）の下面に捕集された塵埃が、第１フィルタ（24a）を下方に流れる空気によって飛ばされ、第１フィルタ（24a）の下面の塵埃が除去される。そして、この塵埃は、第１フィルタ（24a）を通過した空気によって第１空気調和室（41）の外部に圧送される。
【０１６９】
以上のように第１吸着熱交換器（3）の吸着材に水分を付与するとともに、第１フィルタ（24a）の塵埃を含んだ空気は、第１前下開口（57）より前側下部通路（46）へ流入する。そして、この空気は、排気側通路（32）における下側の空間において排気ファン（22）の吸引口に吸引され、排気口（18）より排出空気（EA）として室外空間へ排出される。
【０１７０】
−実施形態２の効果−
実施形態２に係る調湿装置では、実施形態１と同様に、室外側フィルタ（24）を第１，第２吸着熱交換器（3,5）の流入面に配置形成することで、室外側フィルタ（24）の設置に起因する圧力損失の上昇を低減できる。
【０１７１】
また、室内空気（RA）によって室外側フィルタ（24）に付着した塵埃を自動的に除去することで、室外側フィルタ（24）のメンテナンスや交換の頻度を低減できる。
【０１７２】
さらに、実施形態２では、ケーシング（10）の右側板（10a）に第１，第２取出し口（61a,61b）を設けている。このため、図１４に示すように、室内側フィルタ（23b）を第１取出し口（61a）よりケーシング（10）の外部へ取り出してメンテナンスを行える一方、室外側フィルタ（24）を第２取出し口（61b）よりケーシング（10）の外部へ取り出してメンテナンスを行うことができる。したがって、各フィルタ（23b,24）のメンテナンスや交換を容易に行うことができる。
【０１７３】
《その他の実施形態》
本発明は、上記実施形態について、以下のような構成としてもよい。
【０１７４】
上記実施形態では、室外空気（OA）の水分の吸着又は脱着を行う吸着部として吸着熱交換器を用いるようにしている。しかしながら、これ以外に、吸着材を備えた吸着素子などを吸着部として用いてもよい。
【０１７５】
また、上記実施形態では、第１，２吸着熱交換器（3,5）が、クロスフィン式のフィン・アンド・チューブ型熱交換器により構成されているが、これに限らず、他の形式の熱交換器、例えば、コルゲートフィン式の熱交換器等であってもよい。
【０１７６】
さらに、上記実施形態では、第１，第２吸着熱交換器（3,5）の各フィン（4）及び伝熱管（6）の外表面に吸着材をディップ成形により担持しているが、これに限らず、吸着材としての性能を損なわない限り、如何なる方法でその外表面に吸着材を担持してもよい。
【図面の簡単な説明】
【０１７７】
【図１】実施形態に係る調湿装置の冷媒回路の構成を示す回路図である。
【図２】実施形態に係る調湿装置の吸着熱交換器の概略構成図である。
【図３】実施形態１に係る調湿装置の概略構成図である。
【図４】実施形態１に係る調湿装置の第１動作時における空気の流れを示す説明図である。
【図５】実施形態１に係る調湿装置の第１動作時における空気調和室内の空気の流れを示す説明図である。
【図６】実施形態１に係る調湿装置の第２動作時における空気の流れを示す説明図である。
【図７】実施形態１に係る調湿装置の第２動作時における空気調和室内の空気の流れを示す説明図である。
【図８】実施形態１の変形例１に係る調湿装置の概略構成図である。
【図９】実施形態１の変形例１に係る調湿装置におけるフィルタ取り出し動作時の説明図である。
【図１０】実施形態１の変形例２に係る調湿装置の概略構成図である。
【図１１】実施形態２に係る調湿装置の概略構成図である。
【図１２】実施形態２に係る調湿装置の第１動作時における空気の流れを示す説明図である。
【図１３】実施形態２に係る調湿装置の第２動作時における空気の流れを示す説明図である。
【図１４】実施形態２に係る調湿装置におけるフィルタ取り出し動作時の説明図である。
【符号の説明】
【０１７８】
(3)   第１吸着熱交換器
(5)   第２吸着熱交換器
(23b) 室内側フィルタ
(24) 室外側フィルタ（第１，第２フィルタ）
(41)  第１通路
(42)  第２通路
【図１】
2006023079.tif 000003
【図２】
2006023079.tif 000004
【図３】
2006023079.tif 000005
【図４】
2006023079.tif 000006
【図５】
2006023079.tif 000007
【図６】
2006023079.tif 000008
【図７】
2006023079.tif 000009
【図８】
2006023079.tif 000010
【図９】
2006023079.tif 000011
【図１０】
2006023079.tif 000012
【図１１】
2006023079.tif 000013
【図１２】
2006023079.tif 000014
【図１３】
2006023079.tif 000015
【図１４】
2006023079.tif 000016
【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
ケーシング（10）内に、室外空間と室内空間とを連通させる空気通路と、該空気通路に配置されて空気中の水分の吸着又は脱着を行う吸着部（3,5）と、上記空気通路における吸着部（3,5）よりも室外空間側に配置された室外側フィルタ（24）とを備え、
上記吸着部（3,5）は、室外空気が流通して調湿される流通空間を有している調湿装置であって、
上記室外側フィルタ（24）は、上記吸着部（3,5）における室外空気の流入面に沿って配置形成され、
空気通路は、第１通路（41）と第２通路（42）とを備え、
吸着部（3,5）は、第１通路（41）に配置された第１吸着部（3）と、第２通路（42）に配置された第２吸着部（5）とで構成され、
室外側フィルタ（24）は、第１通路（41）に配置された第１フィルタ部（24a）と、第２通路（42）に配置された第２フィルタ部（24b）とを備え、
第１吸着部（3）は、冷媒回路（1）に接続された第１の熱交換器に吸着材が担持された第１の吸着熱交換器（3）で構成される一方、第２吸着部（5）は、冷媒回路（1）に接続された第２の熱交換器に吸着材が担持された第２の吸着熱交換器（5）で構成され、
室外空気を第１フィルタ部（24a）、第１吸着熱交換器（3）の順に流通させて室内空間へ供給すると同時に、室内空気を第２吸着熱交換器（5）、第２フィルタ部（24b）の順に流通させて室外空間へ排出する第１動作と、
室外空気を第２フィルタ部（24b）、第２吸着熱交換器（5）の順に流通させて室内空間へ供給すると同時に、室内空気を第１吸着熱交換器（3）、第１フィルタ部（24a）の順に流通させて室外空間へ排出する第２動作とを切り換えて行うことを特徴とする調湿装置。
【請求項２】
請求項１に記載の調湿装置において、
室内空気を第１通路又は第２通路に流入させる室内空気供給通路を備え、
上記室内空気供給通路には、室内側フィルタ（23b）が配置されていることを特徴とする調湿装置。
【請求項３】
請求項２に記載の調湿装置において、
ケーシング（10）には、第１通路（41）及び第２通路（42)よりも室内空間側の空気通路と接続して室内空間と面する吸引口（63）が設けられ、
室内側フィルタ（23b）は、室内空気供給通路としての吸引口（63）の開口部近傍に配置されていることを特徴とする調湿装置。
【請求項４】
ケーシング（10）内に、室外空間と室内空間とを連通させる空気通路と、該空気通路に配置されて空気中の水分の吸着又は脱着を行う吸着部（3,5）と、上記空気通路における吸着部（3,5）よりも室外空間側に配置された室外側フィルタ（24）とを備え、
上記吸着部（3,5）は、室外空気が流通して調湿される流通空間を有している調湿装置であって、
上記室外側フィルタ（24）は、上記吸着部（3,5）における室外空気の流入面に沿って配置形成され、
空気通路は、第１通路（41）と第２通路（42）とを備え、
吸着部（3,5）は、第１通路（41）に配置された第１吸着部（3）と、第２通路（42）に配置された第２吸着部（5）とで構成され、
室外側フィルタ（24）は、第１通路（41）に配置された第１フィルタ部（24a）と、第２通路（42）に配置された第２フィルタ部（24b）とを備え、
室内空気を第１通路（41）又は第２通路（42）に流入させる室内空気供給通路を備え、
上記室内空気供給通路には、室内側フィルタ（23b）が配置され、
室外空気を第１フィルタ部（24a）、第１吸着部（3）の順に流通させて室内空間へ供給すると同時に、室内空気を室内側フィルタ（23b）、第２吸着部（5）、第２フィルタ部（24b）の順に流通させて室外空間へ排出する第１動作と、
室外空気を第２フィルタ部（24b）、第２吸着部（5）の順に流通させて室内空間へ供給すると同時に、室内空気を室内側フィルタ（23b）、第１吸着部（3）、第１フィルタ部（24a）の順に流通させて室外空間へ排出する第２動作とを切り換えて行うことを特徴とする調湿装置。
【請求項５】
請求項４に記載の調湿装置において、
ケーシング（10）には、第１通路（41）及び第２通路（42)よりも室内空間側の空気通路と接続して室内空間と面する吸引口（63）が設けられ、
室内側フィルタ（23b）は、室内空気供給通路としての吸引口（63）の開口部近傍に配置されていることを特徴とする調湿装置。
【手続補正２】
【補正対象書類名】明細書
【補正対象項目名】全文
【補正方法】変更
【補正の内容】
【発明の詳細な説明】
【技術分野】
【０００１】
本発明は、空気中の水分の吸着又は脱着を行う吸着部を備え、被処理空気の除加湿を行う調湿装置に関するものである。
【背景技術】
【０００２】
従来より、例えば吸着素子などの吸着部によって空気中の水分の吸着又は脱着を行い被処理空気の調湿を行う調湿装置が知られている。
【０００３】
この調湿装置は、ケーシング内に室外空間と室内空間とを連通させる空気通路が形成され、該空気通路に吸着素子を備えている。そして、室外空気（OA）を上記吸着素子に流通させることで、例えば室外空気（OA）の水分を吸着し、除湿空気（調湿空気（SA））として室内空間へ供給するようにしている。また、例えば吸着素子に吸着された水分を脱着させ、この水分を室外空気（OA）に付与し、加湿空気（調湿空気（SA））として室内空間へ供給するようにしている（特許文献１参照）。
【特許文献１】特開平９−３２９３７１号公報
【発明の開示】
【発明が解決しようとする課題】
【０００４】
ところで、このように室外空気（OA）を吸着素子に流通させて室外空気（OA）の除湿又は加湿を行う際、室外空気（OA）中に塵埃が多く含まれる場合、この塵埃が吸着素子に付着し、吸着素子の有する吸脱着性能が低下してしまう可能性がある。このため、このような吸着素子における塵埃の付着を防止する手段として、吸着素子よりも室外空間側の空気通路にフィルタを設け、室外空気（OA）中の塵埃をこのフィルタによって捕集することが考えられる。
【０００５】
しかしながら、上記フィルタを空気通路に配置した場合、上記フィルタによって通気圧力損失が大きくなる可能性がある。特に、フィルタに室外空気（OA）中の塵埃が多く捕集され、フィルタに目詰まりが生じてしまう場合、上記通気圧力損失が極端に大きくなり、例えば室外空気（OA）をケーシング内に流入させる吸引ファンの動力負荷が大きくなってしまう。
【０００６】
本発明は、かかる点に鑑みてなされたものであり、その目的とするところは、吸着部を保護するフィルタにおける塵埃の目詰まりなどによって通気圧力損失が増大してしまうことを抑制することである。
【課題を解決するための手段】
【０００７】
第１の発明は、ケーシング（10）内に、室外空間と室内空間とを連通させる空気通路と、該空気通路に配置されて空気中の水分の吸着又は脱着を行う吸着部（3,5）と、上記空気通路における吸着部（3,5）よりも室外空間側に配置された室外側フィルタ（24）とを備え、上記吸着部（3,5）は、室外空気が流通して調湿される流通空間を有している調湿装置を前提としている。
【０００８】
そして、この調湿装置は、上記室外側フィルタ（24）は、上記吸着部（3,5）における室外空気の流入面に沿って配置形成され、空気通路は、第１通路（41）と第２通路（42）とを備え、吸着部（3,5）は、第１通路（41）に配置された第１吸着部（3）と、第２通路（42）に配置された第２吸着部（5）とで構成され、室外側フィルタ（24）は、第１通路（41）に配置された第１フィルタ部（24a）と、第２通路（42）に配置された第２フィルタ部（24b）とを備え、第１吸着部（3）は、冷媒回路（1）に接続された第１の熱交換器に吸着材が担持された第１の吸着熱交換器（3）で構成される一方、第２吸着部（5）は、冷媒回路（1）に接続された第２の熱交換器に吸着材が担持された第２の吸着熱交換器（5）で構成され、室外空気を第１フィルタ部（24a）、第１吸着熱交換器（3）の順に流通させて室内空間へ供給すると同時に、室内空気を第２吸着熱交換器（5）、第２フィルタ部（24b）の順に流通させて室外空間へ排出する第１動作と、室外空気を第２フィルタ部（24b）、第２吸着熱交換器（5）の順に流通させて室内空間へ供給すると同時に、室内空気を第１吸着熱交換器（3）、第１フィルタ部（24a）の順に流通させて室外空間へ排出する第２動作とを切り換えて行うことを特徴とするものである。
【０００９】
上記第１の発明では、室外側フィルタ（24）が吸着部（3,5）よりも室外空間側の空気通路に配置され、室外空気（OA）中の塵埃が室外側フィルタ（24）によって捕集される。
【００１０】
また、室外側フィルタ（24）を通過した室外空気（OA）は、上記吸着部（3,5）の流入面より該吸着部（3,5）の流通空間を流通する。そして、例えば吸着部（3,5）に室外空気（OA）中の水分が吸着されることで、室外空気（OA）が除湿される。また、例えば吸着部（3,5）に吸着された水分が脱着され、この水分が室外空気（OA）に付与されることで、室外空気（OA）が加湿される。
【００１１】
ところで、一般的に、吸着部（3,5）を流通する被処理空気の通気抵抗を低減するとともに被処理空気と吸着部（3,5）との接触効率を向上させるために、吸着部（3,5）の流入面は、比較的大面積に設計されている。
【００１２】
ここで、本発明では、室外側フィルタ（24）を吸着部（3,5）の流入面に沿って配置形成している。このため、室外側フィルタ（24）における室外空気（OA）の流入面積を広くとることができ、室外側フィルタ（24）の設置に起因する圧力損失の上昇を抑制できる。また、このように室外側フィルタ（24）の捕集面が広くなることで、室外空気（OA）中の塵埃が、室外側フィルタ（24）に分散して捕集されやすくなる。したがって、室外側フィルタ（24）において、塵埃が局所的に捕集され、その結果、室外側フィルタ（24）が目詰まりを起こし通気圧力損失が上昇してしまうことも抑制できる。
【００１３】
また、上記第１の発明では、吸着部（3,5）が第１吸着部（3）と第２吸着部（5）で構成される。このため、例えば除湿運転では、室外空気（OA）の水分を第１吸着部（3）で吸着し、この除湿空気を調湿空気（SA）として室内空間へ供給すると同時に、第２吸着部（5）に吸着された水分を脱着させ、室内空気（RA）に付与させて、この空気を排出空気（EA）として室外空間へ排出することができる。また、逆に、例えば室外空気（OA）の水分を第２吸着部（5）で吸着し、この除湿空気を調湿空気（SA）として室内空間へ供給すると同時に、第１吸着部（3）に吸着された水分を脱着させ、室内空気（RA）に付与させて、この空気を排出空気（EA）として室外空間へ排出することができる。このように、第１吸着部（3）による吸着動作と第２吸着部（5）による再生動作とを同時に行う動作と、第１吸着部（3）による再生動作と第２吸着部（5）による吸着動作とを同時に行う動作とを交互に切り換えることで、いわゆるバッチ式の除湿運転を継続的に行うことができる。
【００１４】
ここで、本発明では、上記第１吸着部（3）における室外空気（OA）の流入面に沿って第１フィルタ部（24a）を配置形成している。このため、第１フィルタ部（24a）の設置に起因する通気圧力損失の上昇を抑制できる。また、本発明では、上記第２吸着部（5）における室外空気（OA）の流入面に沿って第２フィルタ部（24b）を配置形成している。このため、第２フィルタ部（24b）の設置に起因する通気圧力損失の上昇を抑制できる。
【００１５】
また、上記第１の発明では、第１，第２吸着熱交換器（3,5）が接続された冷媒回路（1）内を冷媒が循環することで、冷凍サイクルが行われる。ここで、第１吸着熱交換器（3）が蒸発器として機能し、第２吸着熱交換器（5）が凝縮器として機能する場合、例えば除湿運転時に室外空気（OA）を第１吸着熱交換器（3）に流通させることで、室外空気（OA）中の水分を、第１吸着熱交換器（3）に担持された吸着材に吸着させ、この除湿空気を調湿空気（SA）として室内空間へ供給できる。また、この際、吸着材で生じる吸着熱を冷媒の蒸発熱として利用することができる。同時に、室内空気（RA）を第２吸着熱交換器（5）に流通させることで、吸着材より脱着した水分を室内空気（RA）に付与させ、この空気を排出空気（EA）として室外空間へ排出することができる。このように、第１吸着部（3）による吸着動作と第２吸着部（5）による再生動作とを同時に行う動作と、これとは逆に、第１吸着部（3）による再生動作と第２吸着部（5）による吸着動作とを同時に行う動作とを交互に切り換えることで、いわゆるバッチ式の除湿運転を継続的に行うことができる。
【００１６】
ここで、本発明では、上記第１吸着熱交換器（3）における室外空気（OA）の流入面に沿って第１フィルタ部（24a）を配置形成している。このため、第１フィルタ部（24a）の設置に起因する通気圧力損失の上昇を抑制できる。また、上記第２吸着熱交換器（5）における室外空気（OA）の流入面に沿って第２フィルタ部（24b）を配置形成している。このため、第２フィルタ部（24b）の設置に起因する通気圧力損失の上昇を抑制できる。
【００１７】
また、上記第１の発明では、第１動作時における室外空気（OA）が、第１フィルタ部（24a）、第１吸着熱交換器（3）の順に流れるため、第１フィルタ部（24a）には第１動作時に流通する室外空気（OA）中の塵埃が捕集される。一方、第２動作時における室内空気（RA）は、上記第１動作時の室外空気（OA）と逆方向、すなわち、第１吸着熱交換器（3）、第１フィルタ（24a）の順に流れる。このため、第１フィルタ部（24a）に捕集された塵埃を室内空気（RA）によって吹き飛ばし、室外空間へ排出することができ、第１フィルタ部（24a）の塵埃を除去することができる。
【００１８】
また、逆に、第２動作時における室外空気（OA）は、第２フィルタ部（24b）、第２吸着熱交換器（5）の順に流れるため、第２フィルタ部（24b）には第２動作時に流通する室外空気（OA）中の塵埃が捕集される。一方、第１動作時における室内空気（RA）は、上記第２動作時の室外空気（OA）と逆方向、すなわち、第２吸着熱交換器（5）、第２フィルタ（24b）の順に流れる。このため、第２フィルタ部（24b）に捕集された塵埃を室内空気（RA）によって吹き飛ばし、室外空間へ排出することができ、第２フィルタ部（24b）の塵埃を除去することができる。
【００１９】
第２の発明は、第１の発明の調湿装置において、室内空気を第１通路又は第２通路に流入させる室内空気供給通路を備え、上記室内空気供給通路には、室内側フィルタ（23b）が配置されていることを特徴とするものである。
【００２０】
上記第２の発明では、室内空間と第１，第２通路（41,42）とを連通させる室内空気供給通路に室内側フィルタ（23b）が設けられる。したがって、第１動作時において第２吸着熱交換器（5）に流入する室内空気（RA）中の塵埃が第２吸着熱交換器（5）に付着してしまうことを抑制できる。また、逆に、第２動作時において第１吸着熱交換器（5）に流入する室内空気（RA）中の塵埃が第１吸着熱交換器（3）に付着してしまうことを抑制できる。
【００２１】
第３の発明は、第２の発明の調湿装置において、ケーシング（10）には、第１通路（41）及び第２通路（42)よりも室内空間側の空気通路と接続して室内空間と面する吸引口（63）が設けられ、室内側フィルタ（23b）は、室内空気供給通路としての吸引口（63）の開口部近傍に配置されていることを特徴とするものである。
【００２２】
上記第３の発明では、第２の発明と同様の室内側フィルタ（23b）が設けられる。したがって、第１動作時において第２吸着熱交換器（5）に流入する室内空気（RA）中の塵埃が第２吸着熱交換器（5）に付着してしまうことを抑制できる。また、逆に、第２動作時において第１吸着熱交換器（5）に流入する室内空気（RA）中の塵埃が第１吸着熱交換器（3）に付着してしまうことを抑制できる。
【００２３】
ここで、上記室内側フィルタ（23b）は、室内空間に面して配置される吸引口（63）の開口部近傍に配置される。したがって、室内空間より上記室内側フィルタ（23b）の交換やメンテナンスを容易に行うことができる。
【００２４】
第４の発明は、ケーシング（10）内に、室外空間と室内空間とを連通させる空気通路と、該空気通路に配置されて空気中の水分の吸着又は脱着を行う吸着部（3,5）と、上記空気通路における吸着部（3,5）よりも室外空間側に配置された室外側フィルタ（24）とを備え、上記吸着部（3,5）は、室外空気が流通して調湿される流通空間を有している調湿装置を前提としている。
【００２５】
そして、この調湿装置は、上記室外側フィルタ（24）は、上記吸着部（3,5）における室外空気の流入面に沿って配置形成され、空気通路は、第１通路（41）と第２通路（42）とを備え、吸着部（3,5）は、第１通路（41）に配置された第１吸着部（3）と、第２通路（42）に配置された第２吸着部（5）とで構成され、室外側フィルタ（24）は、第１通路（41）に配置された第１フィルタ部（24a）と、第２通路（42）に配置された第２フィルタ部（24b）とを備え、室内空気を第１通路（41）又は第２通路（42）に流入させる室内空気供給通路を備え、上記室内空気供給通路には、室内側フィルタ（23b）が配置され、室外空気を第１フィルタ部（24a）、第１吸着部（3）の順に流通させて室内空間へ供給すると同時に、室内空気を室内側フィルタ（23b）、第２吸着部（5）、第２フィルタ部（24b）の順に流通させて室外空間へ排出する第１動作と、室外空気を第２フィルタ部（24b）、第２吸着部（5）の順に流通させて室内空間へ供給すると同時に、室内空気を室内側フィルタ（23b）、第１吸着部（3）、第１フィルタ部（24a）の順に流通させて室外空間へ排出する第２動作とを切り換えて行うことを特徴とするものである。
【００２６】
上記第４の発明では、第１吸着部（3）及び第２吸着部（5）において、室内空気（RA）中の塵埃が付着してしまうことを室内側フィルタ（23b）によって抑制できる。また、第１動作及び第２動作を繰り返すことによって、室外側フィルタ（24）に付着した室外空気（OA）中の塵埃を室内空気（RA）によって吹き飛ばして除去できる。
【００２７】
第５の発明は、第４の発明の調湿装置において、ケーシング（10）には、第１通路（41）及び第２通路（42)よりも室内空間側の空気通路と接続して室内空間と面する吸引口（63）が設けられ、室内側フィルタ（23b）は、室内空気供給通路としての吸引口（63）の開口部近傍に配置されていることを特徴とするものである。
【００２８】
上記第５の発明では、第４の発明の調湿装置において、第３の発明と同様の作用効果が得られる。
【発明の効果】
【００２９】
上記第１の発明によれば、室外側フィルタ（24）を吸着部（3,5）における室外空気（OA）の流入面に配置形成している。このため、室外側フィルタ（24）における室外空気（OA）の流入面積を広くでき、室外側フィルタ（24）の設置に起因する圧力損失の上昇を抑制できる。さらに、室外空気（OA）の塵埃を分散して捕集できるため、室外側フィルタ（24）の目詰まり時における圧力損失の上昇を抑制できる。したがって、吸着部（3,5）における塵埃の付着を防止しながら、通気圧力損失の低減を図り、例えば吸引ファンの動力負担を低減させることができる。
【００３０】
また、上記第１の発明によれば、吸着部として第１吸着部（3）と第２吸着部（5）とを設けることで、いわゆるバッチ式の除湿運転、あるいは加湿運転を行えるようにしている。ここで、本発明では、第１吸着部（3）を保護する第１フィルタ部（24a）と、第２吸着部（5）を保護する第２フィルタ部（24b）との双方を、各吸着部（3,5）における室外空気（OA）の流入面に沿って配置形成している。したがって、各フィルタ部（24a,24b）の設置に起因する圧力損失の上昇を抑制できる。
【００３１】
また、上記第１の発明によれば、２つの吸着部（3,5）として第１と第２の吸着熱交換器（3,5）を用いるようにしている。ここで、吸着熱交換器（3,5）が接続される冷媒回路の冷凍サイクルによって、吸着熱交換器（3,5）に担持された吸着材の吸着動作及び再生動作を効率的に行うことができる。したがって、第１，第２吸着熱交換器（3,5）を用いた、いわゆるバッチ式の除湿運転、あるいは加湿運転を行うことができる。
【００３２】
この際、第１吸着熱交換器（3）及び第２吸着熱交換器（5）における室外空気（OA）の流入面に室外側フィルタ（24）を配置形成することで、各吸着熱交換器（3,5）に担持された吸着材や吸着熱交換器（3,5）の伝熱管に塵埃が付着することを防止しながら、室外側フィルタ（24）の設置に起因する圧力損失の上昇を抑制できる。
【００３３】
また、上記第１の発明によれば、第１動作時及び第２動作時において、室外側フィルタ（24）に捕集された塵埃を、室内空気（RA）で吹き飛ばし、これらの塵埃を室内空気（RA）とともに室外空間へ排出させるようにしている。このため、第１動作と第２動作とを交互に切り換えて運転することで、室外側フィルタ（24）に付着した塵埃を自動的に除去でき、室外側フィルタ（24）における塵埃の目詰まりを抑制できる。したがって、室外側フィルタ（24）における圧力損失の上昇を抑制できる。また、室外側フィルタ（24）の交換やメンテナンスの頻度の低減を図ることができる。
【００３４】
上記第２の発明によれば、室外側フィルタ（24）に加え、室内側フィルタ（23b）を設けることで、室内空気（RA）中の塵埃が吸着熱交換器（3,5）に付着することを抑制できる。
【００３５】
上記第３の発明によれば、室内側フィルタ（23b）を室内空間に面する吸引口（63）に配置するようにしている。このため、室内側フィルタ（23b）を室内空間より容易に取り外すことができる。したがって、室内側フィルタ（23b）の交換やメンテナンスの作業性の向上を図ることができる。
【００３６】
上記第４の発明によれば、第１動作と第２動作とを交互に切り換えて運転することで、室外側フィルタ（24）に付着した塵埃を室内空気（RA）によって除去でき、室外側フィルタ（24）における塵埃の目詰まりを抑制できる。一方、上記室内空気（RA）中の塵埃は、室内側フィルタ（23b）によって捕集される。したがって、室内空気（RA）中の塵埃が第１，第２吸着部（3,5）に付着してしまうことを抑制できる。
【００３７】
上記第５の発明によれば、第４の発明において、室内側フィルタ（23b）を室内空間より容易に取り外すことができる。したがって、室内側フィルタ（23b）の交換やメンテナンスの作業性の向上を図ることができる。
【発明を実施するための最良の形態】
【００３８】
以下、本発明の実施形態１を図面に基づいて詳細に説明する。
【００３９】
実施形態１に係る調湿装置は、室内空気（RA）を室外空間へ排出するとともに室外空気（OA）を室内空間へ供給するいわゆる換気型の調湿装置である。また、この調湿装置は、減湿された空気を室内空間へ供給する除湿運転と、加湿された空気を室内空間へ供給する加湿運転とを切り換えて行うように構成されている。さらに、この調湿装置は、吸着材が担持された第１と第２の熱交換器（第１と第２の吸着熱交換器（3,5））が接続された冷媒回路（1）を備えており、これら第１，第２吸着熱交換器（3,5）が２つの吸着部となってバッチ式の吸着／再生動作を行うように構成されている。
【００４０】
まず、調湿装置に備えられた冷媒回路（1）について、図１及び図２を参照しながら説明する。
【００４１】
図１に示すように、冷媒回路（1）は、圧縮機構である圧縮機（7）と、四路切換弁（8）と、第１吸着熱交換器（3）と、膨張機構である膨張弁（9）と、第２吸着熱交換器（5）とが順に接続されて閉回路となっている。この冷媒回路（1）は、冷媒が充填されており、この冷媒が循環して蒸気圧縮式の冷凍サイクルを行うように構成されている。なお、上記四路切換弁（8）には、冷媒回路（1）の配管が接続可能な第１から第４のポート(8a,8b,8c,8d）が設けられている。
【００４２】
冷媒回路（1）において、圧縮機（7）の吐出口は、四路切換弁（8）の第１ポート（8a）に接続されている。また、四路切換弁（8）の第３ポート（8c）は、第１吸着熱交換器（3）の一端と接続されている。第１吸着熱交換器（3）の他端は、膨張弁（9）を介して第２吸着熱交換器（5）の一端と接続されている。第２吸着熱交換器（5）の他端は、四路切換弁（8）の第４ポート（8d）に接続されている。また、四路切換弁（8）の第２ポート（8b）は、圧縮機（7）の吸引口と接続されている。
【００４３】
四路切換弁（8）は第１ポート（8a）と第３ポート（8c）とが連通すると同時に第２ポート（8b）と第４ポート（8d）とが連通する第１状態（図１の(Ａ)に示す状態）と、第１ポート（8a）と第４ポート（8d）とが連通すると同時に第２ポート（8b）と第３ポート（8c）とが連通する第２状態（図１の(Ｂ)に示す状態）とに切換可能となっている。そして、四路切換弁（8）が第１状態に切り換わると、第１吸着熱交換器（3）が凝縮器として機能し、第２吸着熱交換器（5）が蒸発器として機能する。一方、四路切換弁（8）が第２状態に切り換わると、第１吸着熱交換器（3）が蒸発器として機能し、第２吸着熱交換器（5）が凝縮器として機能する。
【００４４】
図２に示すように、第１吸着熱交換器（3）及び第２吸着熱交換器（5）は、それぞれクロスフィン式のフィン・アンド・チューブ型熱交換器により構成されている。具体的に、第１，第２吸着熱交換器（3,5）は、長方形板状に形成されたアルミニウム製の多数のフィン（4）と、このフィン（4）を貫通する銅製の伝熱管（6）とを備えている。
【００４５】
上記各フィン（4）及び伝熱管（6）の外表面には、吸着材がディップ成形（浸漬成形）により担持されている。この吸着材としては、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料などが挙げられる。
【００４６】
次に、実施形態１の調湿装置の具体構成について図３を参照しながら詳細に説明する。なお、図３(Ａ)は調湿装置の平面図、図３(Ｂ)は調湿装置の内部を左側から視た図、図３(Ｃ)は調湿装置の内部を右側から視た図、図３(Ｄ)は、図３(Ａ)のＤ−Ｄ断面図である。なお、本実施形態１の説明において、「上」「下」「左」「右」「前」「後」「手前」「奥」は、特にことわらない限り、図３に示す調湿装置を正面側（図３(Ａ)の下側）から視た場合の方向性を意味している。
【００４７】
実施形態１の調湿装置は、やや扁平な矩形箱形のケーシング（10）を備えており、ケーシング（10）の内部には、室内空間と室外空間とを連通させる空気通路が形成されている。
【００４８】
ケーシング（10）には、最も奥側に後面パネル（10a）が形成され、最も手前側に前面パネル（10b）が形成されている。また、ケーシング（10）には、左側にケーシング第１側板（11）が形成されており、右側にケーシング第２側板（12）が形成されている。さらに、ケーシング（10）には、上側にケーシング天板（10c）が形成され、下側にケーシング底板（10d）が形成されている。
【００４９】
後面パネル（10a）の左側寄りには、室外空間からの室外空気（OA）を取り入れる第１吸込口（15）が形成され、後面パネル（10a）の右側寄りには、室内空間からの室内空気（RA）を取り入れる第２吸込口（16）が形成されている。一方、前面パネル（10b）の左側寄りには、調湿空気（SA）を室内空間へ供給する給気口（17）が形成され、前面パネル（10b）の右側寄りには、排出空気（OA）を室外空間へ排出する排気口（18）が形成されている。
【００５０】
ケーシング（10）の内部は、前後方向において大略的に３つの空間に仕切られている。この３つの空間のうち、ケーシング（10）の前面パネル（10b）寄りに形成された空間は、左右に２つの空間に仕切られている。そして、この２つ空間のうち、左側の空間が給気側通路（31）を構成し、右側の空間が排気側通路（32）を構成している。
【００５１】
給気側通路（31）は、給気口（17）を介して室内空間と連通している。この給気側通路（31）には、給気ファン（21）が設置されている。一方、排気側通路（32）は、排気口（18）を介して室外空間と連通している。この排気側通路（32）には、排気ファン（22）が設置されている。また、排気側通路（32）の左側寄りには、上述した圧縮機（7）が配置されている。
【００５２】
ケーシング（10）の後面パネル（10a）寄りに形成された空間は、吸込側仕切板（19）によって左右２つの空間に仕切られている。この２つの空間のうち、左側の空間が第１吸込通路（33）を構成し、右側の空間が第２吸込通路（室内空気供給通路）（34）を構成している。そして、上記第１吸込通路（33）は、第１吸込口（15）を介して室外空間と連通している一方、上記第２吸込通路（34）は、第２吸込口（16）を介して室内空間と連通している。
【００５３】
また、ケーシング（10）の後面パネル（10a）寄りに形成された空間には、上記吸込側仕切板（19）を貫通するとともに上記第１吸込通路（33）と上記第２吸込通路（34）とに跨るようにして配置された吸込側フィルタ（23）が配置されている。この吸込側フィルタ（23）は、第１吸込通路（33）に位置する第１プレフィルタ（23a）と、第２吸込通路（32）に位置する第２プレフィルタ（23b）(室内側フィルタ）とが一体的に構成されている。そして、上記第１プレフィルタ（23a）が、第１吸込口（15）より吸引された室外空気（OA）中の塵埃を捕集する一方、上記第２プレフィルタ（23b）が、第２吸入口（16）より吸引された室内空気（RA）中の塵埃を捕集する。
【００５４】
ケーシング(10)の前後方向の中央に形成された空間は、左側寄りに位置する第１仕切板（13）及び右側寄りに位置する第２仕切板（14）とによって左右の３つの空間に仕切られている。さらに、第１仕切板（13）と第２仕切板（14）との間の空間は、中央仕切板（20）によって、第１空気調和室（第１通路）（41）と第２空気調和室（第２通路）（42）とに仕切られている。
【００５５】
第１空気調和室（41）は、中央仕切板（20）の後側に形成されており、上述した第１吸着熱交換器（3）が配置されている。第１吸着熱交換器（3）は、図３(Ｄ)に示すように、第１空気調和室（41）の上下方向における中央部に配置されている。そして、第１空気調和室（41）を上部の空間と下部の空間とに仕切っている。また、第１吸着熱交換器（3）は、扁平な矩形形状に形成されており、第１空気調和室（41）における上面及び下面の面積が他の面の面積よりも大きくなる形状をしている。さらに、第１吸着熱交換器（3）には、上下方向に被処理空気が流通することで、この被処理空気の調湿を行う流通空間が形成されている。なお、第１吸着熱交換器（3）の上面には、室外空気（OA）が流入する流入面が形成されている。
【００５６】
第１吸着熱交換器（3）の上面には、室外空気（OA）の流入面に沿って第１フィルタ（第１フィルタ部）（24a）が配置形成されている。第１フィルタ（24a）は、第１吸着熱交換器（3）の上面の全域を覆うようにして配置されている。そして、第１フィルタ（24a）は、第１吸着熱交換器（3）へ流入する室外空気（OA）中の塵埃を捕集する。
【００５７】
第２空気調和室（42）は、中央仕切板（20）の前側に形成されており、上述した第２吸着熱交換器（5）が配置されている。第２吸着熱交換器（5）は、第１吸着熱交換器（3）と同様に、第２空気調和室（42）の上下方向における中央部に配置されている。そして、第２空気調和室（42）を上部の空間と下部の空間とに仕切っている。また、第２吸着熱交換器（5）には、上記第１吸着熱交換器（3）と同様に、上下方向に被処理空気が流通することで、この被処理空気の調湿を行う流通空間が形成されている。なお、第２吸着熱交換器（6）の上面には室外空気（OA）が流通する流入面が形成されている。
【００５８】
第２吸着熱交換器（5）の上面には、室外空気（OA）の流入面に沿って第２フィルタ（第２フィルタ部）（24b）が配置形成されている。第２フィルタ（24b）は、第２吸着熱交換器（5）の上面の全域を覆うようにして配置されている。そして、第２フィルタ（24b）は、第２吸着熱交換器（5）へ流入する室外空気中の塵埃を捕集する。
【００５９】
ケーシング第１側板（11）と第１仕切板（13）との間の空間は、上下に仕切られている。そして、この空間は、上側の空間が左側上部通路（第３通路）（43）を構成し、下側の空間が左側下部通路（第４通路）（44）を構成している。左側上部通路（43）は、上記第１吸込通路（33）と連通している一方、上記給気側通路（31）から仕切られている。左側下部通路（44）は、上記給気側通路（31）と連通している一方、上記第１吸込通路（33）から仕切られている。
【００６０】
ケーシング第２側板（12）と第２仕切板（14）との間の空間は、上下に仕切られている。そして、この空間は、上側の空間が右側上部通路（第５通路）（45）を構成し、下側の空間が右側下部通路（第６通路）（46）を構成している。右側上部通路（45）は、上記排気側通路（32）と連通している一方、上記第２吸込通路（34）から仕切られている。右側下部通路（46）は、上記第２吸込通路（34)と連通している一方、上記排気側通路（32）から仕切られている。
【００６１】
また、第１仕切板（13）には、第１左上開口（第１開口）（51）、第２左上開口（第２開口）（52）、第１左下開口（第３開口）（53）、及び第２左下開口（第４開口）（54）が形成されている。第１左上開口（51）は、第１仕切板（13）における奥側の上部に形成され、第２左上開口（52）は、第１仕切板（13）における手前側の上部に形成されている。また、第１左下開口（53）は、第１仕切板（13）における奥側の下部に形成され、第２左下開口（54）は、第１仕切板(13)における手前側の下部に形成されている。
【００６２】
第１から第４までの開口（51,52,…）には、それぞれ開閉ダンパが設けられている。各開口（51,52,…）の開閉ダンパは、それぞれ独立して開の状態と閉の状態とに切換可能となっている。そして、第１左上開口（51）が開の状態となると、左側上部通路（43）と第１空気調和室（41）の上部空間とが連通される。また、第２左上開口（52）が開の状態となると、左側上部通路（43）と第２空気調和室（42）の上部空間とが連通される。さらに、第１左下開口（53）が開の状態となると、左側下部通路（44）と第１空気調和室（41）の下部空間とが連通される。また、第２左下開口（54）が開の状態となると、左側下部通路（44）と第２空気調和室（42）の下部空間とが連通される。
【００６３】
一方、第２仕切板（14）には、第１右上開口（第５開口）（55）、第２右上開口（第６開口）（56）、第１右下開口（第７開口）（57）、及び第２右下開口（第８開口）（58）が形成されている。第１右上開口（55）は、第２仕切板（14）における奥側の上部に形成され、第２右上開口（56）は、第２仕切板（14）における手前側の上部に形成されている。また、第１右下開口（57）は、第２仕切板（14）における奥側の下部に形成され、第２右下開口（58）は、第２仕切板（14）における手前側の下部に形成されている。
【００６４】
第５から第８までの開口（55,56,…）には、それぞれ開閉ダンパが設けられている。各開口（55,56,…）の開閉ダンパは、それぞれ独立して開の状態と閉の状態とに切換可能となっている。そして、第１右上開口（55）が開の状態となると、右側上部通路（45）と第１空気調和室（41）の上部空間とが連通される。また、第２右上開口（56）が開の状態となると、右側上部通路（45）と第２空気調和室（42）の上部空間とが連通される。さらに、第１右下開口（57）が開の状態となると、右側下部通路（46）と第１空気調和室（41）の下部空間とが連通される。また、第２右下開口（58）が開の状態となると、右側下部通路（46）と第２空気調和室（42）の下部空間とが連通される。
【００６５】
以上の構成の調湿装置は、上述した冷媒回路（1）内の冷媒の循環方向を切り換えるとともに、上記第１から第８の開口（51,52,…）までの開閉ダンパの開閉状態を切り換えることで、第１動作と第２動作とを交互に行うように構成されている。
【００６６】
具体的に、この調湿装置は、室外空気（OA）を第１フィルタ（24a）、第１吸着熱交換器（3）の順に流通させて室内空間へ供給すると同時に、室内空気（RA）を第２吸着熱交換器（5）、第２フィルタ（24b）の順に流通させて室外空間へ排出する第１動作と、室外空気（OA）を第２フィルタ（24b）、第２吸着熱交換器（5）の順に流通させて室内空間へ供給すると同時に、室内空気（RA）を第１吸着熱交換器（3）、第１フィルタ（24a）の順に流通させて室外空間へ排出する第２動作とを切り換えて行うように構成されている。
【００６７】
−運転動作−
次に、実施形態１に係る調湿装置の運転動作について説明する。この調湿装置は、冷媒回路（1）内の冷媒の循環方向を切り換えることで、第１動作と第２動作とを交互に切換ながらの除湿運転、又は加湿運転を継続的に行う。
【００６８】
《除湿運転》
除湿運転時の第１動作においては、冷媒回路（1）が第２状態（図１(Ｂ)の状態）となり、第１吸着熱交換器（3）が蒸発器として機能する一方、第２吸着熱交換器（5）が凝縮器として機能する。また、第２動作においては、冷媒回路（1）が第１状態（図１(Ａ)の状態）となり、第１吸着熱交換器（3）が凝縮器として機能する一方、第２吸着熱交換器（5）が蒸発器として機能する。
【００６９】
図４に示すように、給気ファン（21）及び排気ファン（22）が起動すると、室外空気（OA）が第１吸込口（15）よりケーシング（10）内に取り込まれ、第１吸込通路（33）に流入する一方、室内空気（RA）が第２吸込口（16）よりケーシング（10）内に取り込まれ、第２吸込通路（34）に流入する。
【００７０】
第１吸込通路（33）に流入した室外空気（OA）は、第１プレフィルタ（23a）を通過する。ここで、室外空気（OA）中の比較的大きな塵埃が捕集される。その後、室外空気（OA）は、左側上部通路（43）に流入する。一方、第２吸込通路（34）に流入した室内空気（RA）は、第２プレフィルタ（23b）を通過する。ここで、室内空気（RA）中の塵埃が捕集される。その後、室内空気（RA）は、右側下部通路（46）に流入する。
【００７１】
以降、除湿運転時の第１動作について、図４及び図５を参照しながら説明する。なお、図５(Ａ)は、第１，第２空気調和室（41,42）の内部を左側から視た断面図であり、図５(Ｂ)は、図５(Ａ)のＢ−Ｂ断面図、図５(Ｃ)は、図５(Ａ)のＣ−Ｃ断面図である。
【００７２】
除湿運転の第１動作では、第１左上開口（51）、第１左下開口（53）、第２右上開口（56）、及び第２右下開口（58）の開閉ダンパが開の状態となり、第２左上開口（52）、第２左下開口（54）、第１右上開口（55）、及び第１右下開口（57）の開閉ダンパが閉の状態となる。
【００７３】
したがって、左側上部通路（43）を流通する室外空気（OA）は、第１左上開口（51）より第１空気調和室（41）の上部空間に流入する。この空気は、第１フィルタ（24a）の上面より下面に向かって流通する。この際、空気中の塵埃が第１フィルタ（24a）の上面に捕集される。その後、この空気は第１吸着熱交換器（3）の流通空間を通過し、第１空気調和室（41）の下部空間に流入する。ここで、蒸発器として機能する第１吸着熱交換器（3）の吸着材によって空気中の水分が吸着される。なお、この際生じる吸着熱は、第１吸着熱交換器（3）内の冷媒の蒸発熱として利用される。
【００７４】
以上のように第１フィルタ（24a）で塵埃が除去されるとともに第１吸着熱交換器（3）で減湿された空気は、第１左下開口（53）より左側下部通路（44）へ流入する。そして、この空気は、給気側通路（31）を流通した後、給気口（17）より調湿空気（SA）として室内空間へ供給される。
【００７５】
一方、右側下部通路（46）を流通する室内空気（RA）は、第２右下開口（58）より第２空気調和室（42）の下部空間に流入する。そして、この空気は、上方向に流れて第２吸着熱交換器（5）の流通空間を流通する。ここで、凝縮器として機能する第２吸着熱交換器（5）の吸着材が加熱され、吸着材に吸着された水分が脱着されると、この水分が空気に付与されるとともに第２吸着熱交換器（5）の吸着材が再生される。
【００７６】
第２吸着熱交換器（5）を通過した空気は、第２フィルタ（24b）の下面より上面に向かって流通する。ここで、後述の第２動作によって、第２フィルタ（24b）の上面に捕集された塵埃が、第２フィルタ（24b）を上方に流れる空気によって飛ばされ、第２フィルタ（24b）の上面の塵埃が除去される。そして、この塵埃は、第２フィルタ（24b）を通過した空気によって第２空気調和室（42）の外部に圧送される。
【００７７】
以上のように第２吸着熱交換器（5）の吸着材の再生に利用されるとともに、第２フィルタ（24b）の塵埃を含んだ空気は、第２右上開口（56）より右側上部通路（45）へ流入する。そして、この空気は、排気側通路（32）を流通した後、排気口（18）より排出空気（EA）として室外空間へ排出される。
【００７８】
次に、除湿運転時の第２動作について、図６及び図７を参照しながら説明する。なお、図７(Ａ)は、第１，第２空気調和室（41,42）の内部を左側から視た断面図であり、図７(Ｂ)は、図７(Ａ)のＢ−Ｂ断面図、図７(Ｃ)は、図７(Ａ)のＣ−Ｃ断面図である。
除湿運転の第２動作では、第２左上開口（52）、第２左下開口（54）、第１右上開口（55）、及び第１右下開口（57）の開閉ダンパが開の状態となり、第１左上開口（51）、第１左下開口（53）、第２右上開口（56）、及び第２右下開口（58）の開閉ダンパが閉の状態となる。
【００７９】
したがって、左側上部通路（43）を流通する室外空気（OA）は、第２左上開口（52）より第２空気調和室（42）の上部空間に流入する。この空気は、第２フィルタ（24b）の上面より下面に向かって流通する。この際、空気中の塵埃が第２フィルタ（24b）の上面に捕集される。その後、この空気は第２吸着熱交換器（5）の流通空間を通過し、第２空気調和室（42）の下部空間に流入する。ここで、蒸発器として機能する第２吸着熱交換器（5）の吸着材によって空気中の水分が吸着される。なお、この際生じる吸着熱は、第２吸着熱交換器（5）内の冷媒の蒸発熱として利用される。
【００８０】
以上のように第２フィルタ（24b）で塵埃が除去されるとともに第２吸着熱交換器（5）で減湿された空気は、第２左下開口（54）より左側下部通路（44）へ流入する。そして、この空気は、給気側通路（31）を流通した後、給気口（17）より調湿空気（SA）として室内空間へ供給される。
【００８１】
一方、右側下部通路（46）を流通する室内空気（RA）は、第１右下開口（57）より第１空気調和室（41）の下部空間に流入する。そして、この空気は、上方向に流れて第１吸着熱交換器（3）の流通空間を流通する。ここで、凝縮器として機能する第１吸着熱交換器（3）の吸着材が加熱され、吸着材に吸着された水分が脱着されると、この水分が空気に付与されるとともに第１吸着熱交換器（3）の吸着材が再生される。
【００８２】
第１吸着熱交換器（3）を通過した空気は、第１フィルタ（24a）の下面より上面に向かって流通する。ここで、上述の第１動作によって、第１フィルタ（24a）の上面に捕集された塵埃が、第１フィルタ（24a）を上方に流れる空気によって飛ばされ、第１フィルタ（24a）の上面の塵埃が除去される。そして、この塵埃は、第１フィルタ（24a）を通過した空気によって第１空気調和室（41）の外部に圧送される。
【００８３】
以上のように第１吸着熱交換器（3）の吸着材の再生に利用されるとともに、第１フィルタ（24a）の塵埃を含んだ空気は、第１右上開口（55）より右側上部通路（45）へ流入する。そして、この空気は、排気側通路（32）を流通した後、排気口（18）より排出空気（EA）として室外空間へ排出される。
【００８４】
《加湿運転》
加湿運転時の第１動作においては、冷媒回路（1）が第１状態（図１(Ａ)の状態）となり、第１吸着熱交換器（3）が凝縮器として機能する一方、第２吸着熱交換器（5）が蒸発器として機能する。また、第２動作においては、冷媒回路（1）が第２状態（図１(Ｂ)の状態）となり、第１吸着熱交換器（3）が蒸発器として機能する一方、第２吸着熱交換器（5）が凝縮器として機能する。
【００８５】
図４に示すように、給気ファン（21）及び排気ファン（22）が起動すると、室外空気（OA）が第１吸込口（15）よりケーシング（10）内に取り込まれ、第１吸込通路（33）に流入する一方、室内空気（RA）が第２吸込口（16）よりケーシング（10）内に取り込まれ、第２吸込通路（34）に流入する。
【００８６】
第１吸込通路（33）に流入した室外空気（OA）は、第１プレフィルタ（23a）を通過する。ここで、室外空気（OA）中の比較的大きな塵埃が捕集される。その後、室外空気（OA）は、左側上部通路（43）に流入する。一方、第２吸込通路（34）に流入した室内空気（RA）は、第２プレフィルタ（23b）を通過する。ここで、室内空気（RA）中の塵埃が捕集される。その後、室内空気（RA）は、右側下部通路（46）に流入する。
【００８７】
以降、加湿運転時の第１動作について、図４及び図５を参照しながら説明する。加湿運転の第１動作では、第１左上開口（51）、第１左下開口（53）、第２右上開口（56）、及び第２右下開口（58）の開閉ダンパが開の状態となり、第２左上開口（52）、第２左下開口（54）、第１右上開口（55）、及び第１右下開口（57）の開閉ダンパが閉の状態となる。
【００８８】
したがって、左側上部通路（43）を流通する室外空気（OA）は、第１左上開口（51）より第１空気調和室（41）の上部空間に流入する。この空気は、第１フィルタ（24a）の上面より下面に向かって流通する。この際、空気中の塵埃が第１フィルタ（24a）の上面に捕集される。その後、この空気は第１吸着熱交換器（3）の流通空間を通過し、第１空気調和室（41）の下部空間に流入する。ここで、凝縮器として機能する第１吸着熱交換器（3）の吸着材が加熱され、吸着材に吸着された水分が脱着されると、この水分が空気に付与される。
【００８９】
以上のように第１フィルタ（24a）で塵埃が除去されるとともに第１吸着熱交換器（3）で加湿された空気は、第１左下開口（53）より左側下部通路（44）へ流入する。そして、この空気は、給気側通路（31）を流通した後、給気口（17）より調湿空気（SA）として室内空間へ供給される。
【００９０】
一方、右側下部通路（46）を流通する室内空気（RA）は、第２右下開口（58）より第２空気調和室（42）の下部空間に流入する。そして、この空気は、上方向に流れて第２吸着熱交換器（5）の流通空間を流通する。ここで、蒸発器として機能する第２吸着熱交換器（5）の吸着材によって空気中の水分が吸着される。なお、この際生じる吸着熱は、第２吸着熱交換器（5）内の冷媒の蒸発熱として利用される。
【００９１】
第２吸着熱交換器（5）を通過した空気は、第２フィルタ（24b）の下面より上面に向かって流通する。ここで、後述の第２動作によって、第２フィルタ（24b）の上面に捕集された塵埃が、第２フィルタ（24b）を上方に流れる空気によって飛ばされ、第２フィルタ（24b）の上面の塵埃が除去される。そして、この塵埃は、第２フィルタ（24b）を通過した空気によって第２空気調和室（42）の外部に圧送される。
【００９２】
以上のように第２吸着熱交換器（5）の吸着材に水分を付与するとともに、第２フィルタ（24b）の塵埃を含んだ空気は、第２右上開口（56）より右側上部通路（45）へ流入する。そして、この空気は、排気側通路（32）を流通した後、排気口（18）より排出空気（EA）として室外空間へ排出される。
【００９３】
次に、加湿運転時の第２動作について、図６及び図７を参照しながら説明する。加湿運転の第２動作では、第２左上開口（52）、第２左下開口（54）、第１右上開口（55）、及び第１右下開口（57）の開閉ダンパが開の状態となり、第１左上開口（51）、第１左下開口（53）、第２右上開口（56）、及び第２右下開口（58）の開閉ダンパが閉の状態となる。
【００９４】
したがって、左側上部通路（43）を流通する室外空気（OA）は、第２左上開口（52）より第２空気調和室（42）の上部空間に流入する。この空気は、第２フィルタ（24b）の上面より下面に向かって流通する。この際、空気中の塵埃が第２フィルタ（24b）の上面に捕集される。その後、この空気は第２吸着熱交換器（5）の流通空間を通過し、第２空気調和室（42）の下部空間に流入する。ここで、凝縮器として機能する第２吸着熱交換器（5）の吸着材が加熱され、吸着材に吸着された水分が脱着されると、この水分が空気に付与される。
【００９５】
以上のように第２フィルタ（24b）で塵埃が除去されるとともに第２吸着熱交換器（5）で加湿された空気は、第２左下開口（54）より左側下部通路（44）へ流入する。そして、この空気は、給気側通路（31）を流通した後、給気口（17）より調湿空気（SA）として室内空間へ供給される。
【００９６】
一方、右側下部通路（46）を流通する室内空気（RA）は、第１右下開口（57）より第１空気調和室（41）の下部空間に流入する。そして、この空気は、上方向に流れて第１吸着熱交換器（3）の流通空間を流通する。ここで、蒸発器として機能する第１吸着熱交換器（3）の吸着材によって空気中の水分が吸着される。なお、この際生じる吸着熱は、第１吸着熱交換器（3）内の冷媒の蒸発熱として利用される。
【００９７】
第１吸着熱交換器（3）を通過した空気は、第１フィルタ（24a）の下面より上面に向かって流通する。ここで、上述の第１動作によって、第１フィルタ（24a）の上面に捕集された塵埃が、第１フィルタ（24a）を上方に流れる空気によって飛ばされ、第１フィルタ（24a）の上面の塵埃が除去される。そして、この塵埃は、第１フィルタ（24a）を通過した空気によって第１空気調和室（41）の外部に圧送される。
【００９８】
以上のように第１吸着熱交換器（3）の吸着材に水分を付与するとともに、第１フィルタ（24a）の塵埃を含んだ空気は、第１右上開口（55）より右側上部通路（45）へ流入する。そして、この空気は、排気側通路（32）を流通した後、排気口（18）より排出空気（EA）として室外空間へ排出される。
【００９９】
−実施形態１の効果−
実施形態１に係る調湿装置によれば、吸着部としての第１，第２吸着熱交換器（3,5）における室外空気（OA）の流入面に沿って室外側フィルタ（24a,24b）を配置形成するようにしている。ここで、第１，第２吸着熱交換器（3,5）の流入面は、他面と比較して大面積となっている。このため、室外側フィルタ（24a,24b）のフィルタ面を大きくとることができる。したがって、室外側フィルタ（24a,24b）を流通する室外空気（OA）の線速度を遅くさせることができ、室外側フィルタ（24a,24b）の設置に起因する圧力損失の上昇を抑制できる。また、室外空気（OA）中の塵埃が、室外側フィルタ（24a,24b）に局所的に捕集されにくくなるため、室外側フィルタ（24a,24b）における塵埃の目詰まりを抑制でき、圧力損失の上昇を一層抑制できる。
【０１００】
また、実施形態１の調湿装置では、第１動作時において第１フィルタ（24a）に捕集された室外空気（OA）中の塵埃を第２動作時における室内空気（RA）によって吹き飛ばし、室外空間へ排出するようにしている。逆に、第２動作時において第２フィルタ（24b）に捕集された室外空気（OA）中の塵埃を第１動作時における室内空気（RA）によって吹き飛ばし、室外空間へ排出するようにしている。このように、第１動作と第２動作とを切換ながら、室外側フィルタ（24a,24b）に捕集された塵埃を交互に除去することで、室外側フィルタ（24a,24b）における塵埃の目詰まりを自動的に解消することができ、室外側フィルタ（24a,24b）の交換やメンテナンスの頻度を低減させることができる。
【０１０１】
また、実施形態１の調湿装置では、上記室外側フィルタ（24a,24b）に加え、第１プレフィルタ（23a）を設けることによって、室外空気（OA）中の比較的大きな塵埃がケーシング（10）の内部へ入り込むことを抑制している。したがって、第１，第２吸着熱交換器（3,5）における塵埃の付着を一層抑制できる。
【０１０２】
さらに、実施形態１の調湿装置では、第２プレフィルタ（室内側フィルタ）（23b）を設けることによって、室内空気（RA）中の塵埃が第１，第２吸着熱交換器（3,5）に付着してしまうことを抑制している。したがって、第１，第２吸着熱交換器（3,5）における塵埃付着によって吸脱着性能が低下してしまうことを抑制できる。
【０１０３】
−実施形態１の変形例１−
次に実施形態１に係る調湿装置の変形例１について、図８及び図９を参照しながら説明する。この変形例１に係る調湿装置は、実施形態１の調湿装置とほぼ同様の構成において、吸込側フィルタ（23）、及びこの吸込側フィルタ（23）が配置される第１，第２吸込通路（33,34）を備えていないものである。また、第１空気調和室（41）に配置される第１フィルタ（24a）と，第２空気調和室（42）に配置される第２フィルタ（24b）とは一体となって室外側フィルタ（24）を構成している。
【０１０４】
具体的に、変形例１の調湿装置は、第１吸込口（15）と左側上部通路（43）とが直接連通している一方、第２吸込口（16）と右側下部通路（46）とが直接連通している。また、第１，第２吸着熱交換器（3,5)の上面には、第１フィルタ（24a）と第２フィルタ（24b）とが一体となって構成された室外側フィルタ（24）が配置形成されている。そして、室外側フィルタ（24）は、第１，第２吸着熱交換器（3,5）における室外空気（OA）の流入面の双方に沿いながら跨って配置形成されている。さらに、ケーシング（10）の後面パネル（10a）には、上記室外側フィルタ（24）を取り出し可能な取出し口（61）が形成されている。
【０１０５】
この変形例１の調湿装置においても、室外側フィルタ（24）を各吸着熱交換器（3,5）の流入面に沿って配置形成することで、各流入面に流入する空気の線速度を低減させることができ、室外側フィルタ（24）の圧力損失の低減を図ることができる。また、室外空気の流れに対してフィルタ面を大きくとることで、室外空気中の塵埃をフィルタ面上で分散させて捕集することができる。したがって、室外側フィルタ（24）の目詰まりを抑制でき、室外側フィルタ（24）の圧力損失の低減を一層図ることができる。
【０１０６】
また、この変形例１においては、第１，第２フィルタ（24a,24b）を一体的に構成することで、室外側フィルタ（24）をコンパクトに形成することができる。さらに、ケーシング（10）に取出し口（61）を設けることで、図９に示すように、室外側フィルタ（24）を容易にケーシング（10）の外部に取り出したり、ケーシング（10）の内部に付けたりすることができる。この際、室外側フィルタ（24）は一体に構成されているため、室外側フィルタ（24）の交換やメンテナンスの作業性が向上する。
【０１０７】
−実施形態１の変形例２−
次に実施形態１に係る調湿装置の変形例２について、図１０を参照しながら説明する。この変形例２に係る調湿装置は、実施形態１の調湿装置とほぼ同様の構成において、室内空気（RA）中の塵埃を捕集する第２プレフィルタ（室内側フィルタ）（23b）が、ケーシング（10）より室内空間へ延びて形成された吸引ダクト（吸引口）（63）の開口部近傍に配置されているものである。なお、上記吸引ダクト（63）は、第２吸込口（16）を介して右側下部通路（46）と連通している。したがって、この吸引ダクト（63）は、室内空気（RA）をケーシング（10）内へ導入する室内空気供給通路として機能している。したがって、この吸引ダクト（63）に第２プレフィルタ（23b）を設けることで、室内空気（RA）中の塵埃を第２プレフィルタ（23b）で捕集でき、室内空気（RA）中の塵埃が第１，第２吸着熱交換器（3）の下面に付着してしまうことを抑制できる。
【０１０８】
また、この変形例２においても、室外空気（OA）中の塵埃は、第１，第２フィルタ（24a,24b）によって捕集された後、第１動作と第２動作との切換によってこれらの塵埃が室外空間に排出される。このため、第１，第２フィルタ（24a,24b）のメンテナンスの頻度を低減できるようになっている。
【０１０９】
一方、この変形例２では、塵埃の除去を自動的に行えない第２プレフィルタ（23b）を室内空間に面する吸引ダクト（63）の開口部近傍に配置している。このため、室内空間側から上記第２プレフィルタ（23b）のメンテナンスを行うことができる。したがって、調湿装置が例えば天井埋込型の調湿装置であった場合にも、第２プレフィルタ（23b）のメンテナンスを容易に行うことができる。
【０１１０】
《発明の実施形態２》
次に、実施形態２に係る調湿装置について説明する。
【０１１１】
実施形態２に係る調湿装置は、実施形態１の調湿装置と空気通路の構成が異なるものである。以下に実施形態１の調湿装置と異なる点について図１１を参照しながら説明する。なお、図１１において、図１１(Ａ)は調湿装置の平面図、図１１(Ｂ)は調湿装置の内部を左側から視た図、図１１(Ｃ)は調湿装置の内部を右側から視た図、図１１(Ｄ)は調湿装置の内部を後側から視た図、図１１(Ｅ)は調湿装置の内部を前側から視た図である。
【０１１２】
実施形態２の調湿装置は、実施形態１よりも扁平な矩形箱形のケーシング（10）を備えており、ケーシング（10）の内部には、室内空間と室外空間とを連通させる空気通路が形成されている。ケーシング（10）には、最も奥側にケーシング第１側板（11）が形成され、最も手前側にケーシング第２側板（12）が形成されている。
【０１１３】
ケーシング第１側板（11）の左側寄りの下部には、室外空間からの室外空気（OA）を取り入れる第１吸込口（15）が形成され、ケーシング第２側板（12）の右側寄りの上部には、室内空間からの室内空気（RA）を取り入れる第２吸込口（16）が形成されている。一方、ケーシング第２側板（12）の左側寄りの上部には、排出空気（OA）を室外空間へ排出する排気口（18）が形成され、ケーシング第２側板（12）の右側寄りの下部には、調湿空気（SA）を室内空間へ供給する給気口（17）が形成されている。
【０１１４】
ケーシング（10）の内部は、後方より順に、第１仕切板（13），第２仕切板（14），吹出側仕切板（19）によって前後方向に大略４つの空間に仕切られている。この４つの空間のうち、ケーシング第２側板（12）の一番近くに形成された空間は、左右に２つの空間に仕切られている。そして、この２つ空間のうち、左側の空間が排気側通路（32）を構成し、右側の空間が給気側通路（31）を構成している。
【０１１５】
上記排気側通路（32）は、上下に２つの空間に仕切られている。そして、この２つの空間のうち、上側の空間は、排気口（18）を介して室外空間と連通している。また、この空間には、排気ファン（22）が設置されている。一方排気側通路（32）における下側の空間には、上記排気ファン（22）の吸入口が臨んでいる。なお、実施形態２では、実施形態１のように圧縮機（7）が排気側通路（32）に配置されておらず、ケーシング（10）の外部に設けられている（図示省略）。一方、給気側通路（31）は、上下に仕切られておらず、給気口（17）を介して室内空間と連通している。この給気側通路（31）には、給気ファン（21）が設置されている。
【０１１６】
第１仕切板（13）と第２仕切板（14）との間の空間は、中央仕切板（20）によって第１空気調和室（第１通路）（41）と第２空気調和室（第２通路）（42）とに仕切られている。
【０１１７】
第１空気調和室（41）は、中央仕切板（20）の左側に形成されており、第１吸着熱交換器（3）が配置されている。第１吸着熱交換器（3）は、図１１(Ｂ)に示すように、第１空気調和室（41）の上下方向における中央部に配置されている。そして、第１空気調和室（41）を上部の空間と下部の空間とに仕切っている。また、第１吸着熱交換器（3）は、扁平な矩形形状に形成されており、第１空気調和室（41）における上面及び下面の面積が他の面の面積よりも大きくなる形状をしている。さらに、第１吸着熱交換器（3）には、上下方向に空気が流通する流通空間が形成されている。そして、第１吸着熱交換器（3）の下面には、室外空気（OA）が流入する流入面が形成されている。
【０１１８】
また、第１吸着熱交換器（3）の下面には、室外空気の流入面に沿って第１フィルタ（第１フィルタ部）（24a）が配置形成されている。第１フィルタ（24a）は、第１吸着熱交換器（3）の下面の全域を覆うようにして配置されている。そして、第１フィルタ（24a）は、第１吸着熱交換器（3）へ流入する室外空気中の塵埃を捕集する。
【０１１９】
第２空気調和室（42）は、中央仕切板（20）の右側に形成されており、上述した第２吸着熱交換器（5）が配置されている。第２吸着熱交換器（5）は、第１吸着熱交換器（3）と同様に、第２空気調和室（42）の上下方向における中央部に配置されている。そして、第２空気調和室（42）を上部の空間と下部の空間とに仕切っている。また、第２吸着熱交換器（5）には、上記第１吸着熱交換器（3）と同様に、上下方向に空気が流通する流通空間が形成され、その下面には室外空気（OA）が流通する流入面が形成されている。
【０１２０】
また、第２吸着熱交換器（5）の下面には、室外空気の流入面に沿って第２フィルタ（第２フィルタ部）（24b）が配置形成されている。第２フィルタ（24b）は、第２吸着熱交換器（5）の下面の全域を覆うようにして配置されている。そして、第２フィルタ（24b）は、第２吸着熱交換器（5）へ流入する室外空気中の塵埃を捕集する。
【０１２１】
なお、上記第１フィルタ（24a）及び第２フィルタ（24b）は、一体的に室外側フィルタ（24）を構成している。そして、室外側フィルタ（24）は、第１吸熱交換器（3）の流入面と第２吸着熱交換器（5）の流入面との双方に跨って配置されている。
【０１２２】
ケーシング第１側板（11）と第１仕切板（13）との間の空間は、上下に仕切られている。そして、この空間は、上側の空間が室内空気供給通路としての後側上部通路（第３通路）（43）を構成し、下側の空間が後側下部通路（第４通路）（44）を構成している。後側上部通路（43）は、第２吸込口（16）を介して室内空間と連通している。また、後側上部通路（43）には、室内側フィルタ（23b）が配置されている。この室内側フィルタ（23b）は、第２吸入口（16）より吸引された室内空気中の塵埃を捕集する。一方、後側下部通路（44）は、第１吸込口（15）を介して室外空間と連通している。
【０１２３】
第２仕切板（14）と上記吹出側仕切板（19）との間の空間は、上下に仕切られている。そして、この空間は、上側の空間が前側上部通路（第５通路）（45）を構成し、下側の空間が前側下部通路（第６通路）（46）を構成している。前側上部通路（45）は、上記給気側通路（31）と連通している。一方、前側下部通路（46）は、上記排気側通路（31）の下側の空間と連通している。
【０１２４】
また、第１仕切板（13）には、第１後上開口（第１開口）（51）、第２後上開口（第２開口）（52）、第１後下開口（第３開口）（53）、及び第２後下開口（第４開口）（54）が形成されている。第１後上開口（51）は、第１仕切板（13）における左側の上部に形成され、第２後上開口（52）は、第１仕切板（13）における右側の上部に形成されている。また、第１後下開口（53）は、第１仕切板（13）における左側の下部に形成され、第２後下開口（54）は、第１仕切板(13)における右側の下部に形成されている。
【０１２５】
第１から第４までの開口（51,52,…）には、それぞれ開閉ダンパが設けられている。各開口（51,52,…）の開閉ダンパは、それぞれ独立して開の状態と閉の状態とに切換可能となっている。そして、第１後上開口（51）が開の状態となると、後側上部通路（43）と第１空気調和室（41）の上部空間とが連通される。また、第２後上開口（52）が開の状態となると、後側上部通路（43）と第２空気調和室（42）の上部空間とが連通される。さらに、第１後下開口（53）が開の状態となると、後側下部通路（44）と第１空気調和室（41）の下部空間とが連通される。また、第２後下開口（54）が開の状態となると、後側下部通路（44）と第２空気調和室（42）の下部空間とが連通される。
【０１２６】
一方、第２仕切板（14）には、第１前上開口（第５開口）（55）、第２前上開口（第６開口）（56）、第１前下開口（第７開口）（57）、及び第２前下開口（第８開口）（58）が形成されている。第１前上開口（55）は、第２仕切板（14）における左側の上部に形成され、第２前上開口（56）は、第２仕切板（14）における右側の上部に形成されている。また、第１前下開口（57）は、第２仕切板（14）における左側の下部に形成され、第２前下開口（58）は、第２仕切板（14）における右側の下部に形成されている。
【０１２７】
第５から第８までの開口（55,56,…）には、それぞれ開閉ダンパが設けられている。各開口（55,56,…）の開閉ダンパは、それぞれ独立して開の状態と閉の状態とに切換可能となっている。そして、第１前上開口（55）が開の状態となると、前側上部通路（45）と第１空気調和室（41）の上部空間とが連通される。また、第２前上開口（56）が開の状態となると、前側上部通路（45）と第２空気調和室（42）の上部空間とが連通される。さらに、第１前下開口（57）が開の状態となると、前側下部通路（46）と第１空気調和室（41）の下部空間とが連通される。また、第２前下開口（58）が開の状態となると、前側下部通路（46）と第２空気調和室（42）の下部空間とが連通される。
【０１２８】
また、ケーシング（10）の右側板（10a）には、上記室内側フィルタ（23b）を取り出し可能な第１取出し口（61a）と、上記室外側フィルタ（24）を取り出し可能な第２取出し口（61b）とが設けられている。
【０１２９】
−運転動作−
次に、実施形態２に係る調湿装置の運転動作について説明する。この調湿装置は、実施形態１の調湿装置と同様に、冷媒回路（1）内の冷媒の循環方向を切り換えることで、第１動作と第２動作とを交互に切換ながらの除湿運転、又は加湿運転を継続的に行う。
【０１３０】
《除湿運転》
除湿運転時の第１動作においては、冷媒回路（1）が第２状態（図１(Ｂ)の状態）となり、第１吸着熱交換器（3）が蒸発器として機能する一方、第２吸着熱交換器（5）が凝縮器として機能する。また、第２動作においては、冷媒回路（1）が第１状態（図１(Ａ)の状態）となり、第１吸着熱交換器（3）が凝縮器として機能する一方、第２吸着熱交換器（5）が蒸発器として機能する。
【０１３１】
図１２に示すように、給気ファン（21）及び排気ファン（22）が起動すると、室外空気（OA）が第１吸込口（15）よりケーシング（10）内に取り込まれ、後側下部通路（44）に流入する一方、室内空気（RA）が第２吸込口（16）よりケーシング（10）内に取り込まれ、後側上部通路（43）に流入する。ここで、後側上部通路（43）に流入した室内空気（RA）は、室内側フィルタ（23b）を通過する。この際、室内空気（RA）中の塵埃が捕集される。
【０１３２】
以降、除湿運転時の第１動作について、図１２を参照しながら説明する。除湿運転の第１動作では、第２後上開口（52）、第１後下開口（53）、第１前上開口（55）、及び第２前下開口（58）の開閉ダンパが開の状態となり、第１後上開口（51）、第２後下開口（54）、第２前上開口（56）、及び第１前下開口（57）の開閉ダンパが閉の状態となる。
【０１３３】
したがって、後側下部通路（44）を流通する室外空気（OA）は、第１後下開口（53）より第１空気調和室（41）の下部空間に流入する。この空気は、第１フィルタ（24a）の下面より上面に向かって流通する。この際、空気中の塵埃が第１フィルタ（24a）の下面に捕集される。その後、この空気は第１吸着熱交換器（3）の流通空間を通過し、第１空気調和室（41）の上部空間に流入する。ここで、蒸発器として機能する第１吸着熱交換器（3）の吸着材によって空気中の水分が吸着される。なお、この際生じる吸着熱は、第１吸着熱交換器（3）内の冷媒の蒸発熱として利用される。
【０１３４】
以上のように第１フィルタ（24a）で塵埃が除去されるとともに第１吸着熱交換器（3）で減湿された空気は、第１前上開口（55）より前側上部通路（45）へ流入する。そして、この空気は、給気側通路（31）を流通した後、給気口（17）より調湿空気（SA）として室内空間へ供給される。
【０１３５】
一方、後側上部通路（43）を流通する室内空気（RA）は、第２後上開口（52）より第２空気調和室（42）の上部空間に流入する。そして、この空気は、下方向に流れて第２吸着熱交換器（5）の流通空間を流通する。ここで、凝縮器として機能する第２吸着熱交換器（5）の吸着材が加熱され、吸着材に吸着された水分が脱着されると、この水分が空気に付与されるとともに第２吸着熱交換器（5）の吸着材が再生される。
【０１３６】
第２吸着熱交換器（5）を通過した空気は、第２フィルタ（24b）の上面より下面に向かって流通する。ここで、後述の第２動作によって、第２フィルタ（24b）の下面に捕集された塵埃が、第２フィルタ（24b）を下方に流れる空気によって飛ばされ、第２フィルタ（24b）の下面の塵埃が除去される。そして、この塵埃は、第２フィルタ（24b）を通過した空気によって第２空気調和室（42）の外部に圧送される。
【０１３７】
以上のように第２吸着熱交換器（5）の吸着材の再生に利用されるとともに、第２フィルタ（24b）の塵埃を含んだ空気は、第２前下開口（58）より前側下部通路（46）へ流入する。そして、この空気は、排気側通路（32）における下側の空間において排気ファン（22）の吸引口に吸引され、排気口（18）より排出空気（EA）として室外空間へ排出される。
【０１３８】
次に、除湿運転時の第２動作について、図１３を参照しながら説明する。除湿運転の第２動作では、第１後上開口（51）、第２後下開口（54）、第２前上開口（56）、及び第１前下開口（57）の開閉ダンパが開の状態となり、第２後上開口（52）、第１後下開口（53）、第１前上開口（55）、及び第２前下開口（58）の開閉ダンパが閉の状態となる。
【０１３９】
したがって、後側下部通路（44）を流通する室外空気（OA）は、第２後下開口（54）より第２空気調和室（42）の下部空間に流入する。この空気は、第２フィルタ（24b）の下面より上面に向かって流通する。この際、空気中の塵埃が第２フィルタ（24b）の下面に捕集される。その後、この空気は第２吸着熱交換器（5）の流通空間を通過し、第２空気調和室（42）の上部空間に流入する。ここで、蒸発器として機能する第２吸着熱交換器（5）の吸着材によって空気中の水分が吸着される。なお、この際生じる吸着熱は、第２吸着熱交換器（5）内の冷媒の蒸発熱として利用される。
【０１４０】
以上のように第２フィルタ（24b）で塵埃が除去されるとともに第２吸着熱交換器（5）で減湿された空気は、第２前上開口（56）より前側上部通路（45）へ流入する。そして、この空気は、給気側通路（31）を流通した後、給気口（17）より調湿空気（SA）として室内空間へ供給される。
【０１４１】
一方、後側上部通路（43）を流通する室内空気（RA）は、第１後上開口（51）より第１空気調和室（41）の上部空間に流入する。そして、この空気は、下方向に流れて第１吸着熱交換器（3）の流通空間を流通する。ここで、凝縮器として機能する第１吸着熱交換器（3）の吸着材が加熱され、吸着材に吸着された水分が脱着されると、この水分が空気に付与されるとともに第１吸着熱交換器（3）の吸着材が再生される。
【０１４２】
第１吸着熱交換器（3）を通過した空気は、第１フィルタ（24a）の上面より下面に向かって流通する。ここで、上述の第１動作によって、第１フィルタ（24a）の下面に捕集された塵埃が、第１フィルタ（24a）を下方に流れる空気によって飛ばされ、第１フィルタ（24a）の下面の塵埃が除去される。そして、この塵埃は、第１フィルタ（24a）を通過した空気によって第１空気調和室（41）の外部に圧送される。
【０１４３】
以上のように第１吸着熱交換器（3）の吸着材の再生に利用されるとともに、第１フィルタ（24a）の塵埃を含んだ空気は、第１前下開口（57）より前側下部通路（46）へ流入する。そして、この空気は、排気側通路（32）における下側の空間において排気ファン（22）の吸引口に吸引され、排気口（18）より排出空気（EA）として室外空間へ排出される。
【０１４４】
《加湿運転》
加湿運転時の第１動作においては、冷媒回路（1）が第１状態（図１(Ａ)の状態）となり、第１吸着熱交換器（3）が凝縮器として機能する一方、第２吸着熱交換器（5）が蒸発器として機能する。また、第２動作においては、冷媒回路（1）が第２状態（図１(Ｂ)の状態）となり、第１吸着熱交換器（3）が蒸発器として機能する一方、第２吸着熱交換器（5）が凝縮器として機能する。
【０１４５】
また、給気ファン（21）及び排気ファン（22）が起動すると、室外空気（OA）が第１吸込口（15）よりケーシング（10）内に取り込まれ、後側下部通路（44）に流入する一方、室内空気（RA）が第２吸込口（16）よりケーシング（10）内に取り込まれ、後側上部通路（43）に流入する。ここで、後側上部通路（43）に流入した室内空気（RA）は、室内側フィルタ（23b）を通過する。この際、室内空気（RA）中の塵埃が捕集される。
【０１４６】
以降、加湿運転時の第１動作について、図１２を参照しながら説明する。加湿運転の第１動作では、第２後上開口（52）、第１後下開口（53）、第１前上開口（55）、及び第２前下開口（58）の開閉ダンパが開の状態となり、第１後上開口（51）、第２後下開口（54）、第２前上開口（56）、及び第１前下開口（57）の開閉ダンパが閉の状態となる。
【０１４７】
したがって、後側下部通路（44）を流通する室外空気（OA）は、第１後下開口（53）より第１空気調和室（41）の下部空間に流入する。この空気は、第１フィルタ（24a）の下面より上面に向かって流通する。この際、空気中の塵埃が第１フィルタ（24a）の下面に捕集される。その後、この空気は第１吸着熱交換器（3）の流通空間を通過し、第１空気調和室（41）の上部空間に流入する。ここで、凝縮器として機能する第１吸着熱交換器（3）の吸着材が加熱され、吸着材に吸着された水分が脱着されると、この水分が空気に付与される。
【０１４８】
以上のように第１フィルタ（24a）で塵埃が除去されるとともに第１吸着熱交換器（3）で加湿された空気は、第１前上開口（55）より前側上部通路（45）へ流入する。そして、この空気は、給気側通路（31）を流通した後、給気口（17）より調湿空気（SA）として室内空間へ供給される。
【０１４９】
一方、後側上部通路（43）を流通する室内空気（RA）は、第２後上開口（52）より第２空気調和室（42）の上部空間に流入する。そして、この空気は、下方向に流れて第２吸着熱交換器（5）の流通空間を流通する。ここで、蒸発器として機能する第２吸着熱交換器（5）の吸着材によって空気中の水分が吸着される。なお、この際生じる吸着熱は、第２吸着熱交換器（5）内の冷媒の蒸発熱として利用される。
【０１５０】
第２吸着熱交換器（5）を通過した空気は、第２フィルタ（24b）の上面より下面に向かって流通する。ここで、後述の第２動作によって、第２フィルタ（24b）の下面に捕集された塵埃が、第２フィルタ（24b）を下方に流れる空気によって飛ばされ、第２フィルタ（24b）の下面の塵埃が除去される。そして、この塵埃は、第２フィルタ（24b）を通過した空気によって第２空気調和室（42）の外部に圧送される。
【０１５１】
以上のように第２吸着熱交換器（5）の吸着材に水分を付与するとともに、第２フィルタ（24b）の塵埃を含んだ空気は、第２前下開口（58）より前側下部通路（46）へ流入する。そして、この空気は、排気側通路（32）における下側の空間において排気ファン（22）の吸引口に吸引され、排気口（18）より排出空気（EA）として室外空間へ排出される。
【０１５２】
次に、加湿運転時の第２動作について、図１３を参照しながら説明する。加湿運転の第２動作では、第１後上開口（51）、第２後下開口（54）、第２前上開口（56）、及び第１前下開口（57）の開閉ダンパが開の状態となり、第２後上開口（52）、第１後下開口（53）、第１前上開口（55）、及び第２前下開口（58）の開閉ダンパが閉の状態となる。
【０１５３】
したがって、後側下部通路（44）を流通する室外空気（OA）は、第２後下開口（54）より第２空気調和室（42）の下部空間に流入する。この空気は、第２フィルタ（24b）の下面より上面に向かって流通する。この際、空気中の塵埃が第２フィルタ（24b）の下面に捕集される。その後、この空気は第２吸着熱交換器（5）の流通空間を通過し、第２空気調和室（42）の上部空間に流入する。ここで、凝縮器として機能する第２吸着熱交換器（5）の吸着材が加熱され、吸着材に吸着された水分が脱着されると、この水分が空気に付与される。
【０１５４】
以上のように第２フィルタ（24b）で塵埃が除去されるとともに第２吸着熱交換器（5）で加湿された空気は、第２前上開口（56）より前側上部通路（45）へ流入する。そして、この空気は、給気側通路（31）を流通した後、給気口（17）より調湿空気（SA）として室内空間へ供給される。
【０１５５】
一方、後側上部通路（43）を流通する室内空気（RA）は、第１後上開口（51）より第１空気調和室（41）の上部空間に流入する。そして、この空気は、下方向に流れて第１吸着熱交換器（3）の流通空間を流通する。ここで、蒸発器として機能する第１吸着熱交換器（3）の吸着材によって空気中の水分が吸着される。なお、この際生じる吸着熱は、第１吸着熱交換器（3）内の冷媒の蒸発熱として利用される。
【０１５６】
第１吸着熱交換器（3）を通過した空気は、第１フィルタ（24a）の上面より下面に向かって流通する。ここで、上述の第１動作によって、第１フィルタ（24a）の下面に捕集された塵埃が、第１フィルタ（24a）を下方に流れる空気によって飛ばされ、第１フィルタ（24a）の下面の塵埃が除去される。そして、この塵埃は、第１フィルタ（24a）を通過した空気によって第１空気調和室（41）の外部に圧送される。
【０１５７】
以上のように第１吸着熱交換器（3）の吸着材に水分を付与するとともに、第１フィルタ（24a）の塵埃を含んだ空気は、第１前下開口（57）より前側下部通路（46）へ流入する。そして、この空気は、排気側通路（32）における下側の空間において排気ファン（22）の吸引口に吸引され、排気口（18）より排出空気（EA）として室外空間へ排出される。
【０１５８】
−実施形態２の効果−
実施形態２に係る調湿装置では、実施形態１と同様に、室外側フィルタ（24）を第１，第２吸着熱交換器（3,5）の流入面に配置形成することで、室外側フィルタ（24）の設置に起因する圧力損失の上昇を低減できる。
【０１５９】
また、室内空気（RA）によって室外側フィルタ（24）に付着した塵埃を自動的に除去することで、室外側フィルタ（24）のメンテナンスや交換の頻度を低減できる。
【０１６０】
さらに、実施形態２では、ケーシング（10）の右側板（10a）に第１，第２取出し口（61a,61b）を設けている。このため、図１４に示すように、室内側フィルタ（23b）を第１取出し口（61a）よりケーシング（10）の外部へ取り出してメンテナンスを行える一方、室外側フィルタ（24）を第２取出し口（61b）よりケーシング（10）の外部へ取り出してメンテナンスを行うことができる。したがって、各フィルタ（23b,24）のメンテナンスや交換を容易に行うことができる。
【０１６１】
《その他の実施形態》
本発明は、上記実施形態について、以下のような構成としてもよい。
【０１６２】
上記実施形態では、室外空気（OA）の水分の吸着又は脱着を行う吸着部として吸着熱交換器を用いるようにしている。しかしながら、これ以外に、吸着材を備えた吸着素子などを吸着部として用いてもよい。
【０１６３】
また、上記実施形態では、第１，２吸着熱交換器（3,5）が、クロスフィン式のフィン・アンド・チューブ型熱交換器により構成されているが、これに限らず、他の形式の熱交換器、例えば、コルゲートフィン式の熱交換器等であってもよい。
【０１６４】
さらに、上記実施形態では、第１，第２吸着熱交換器（3,5）の各フィン（4）及び伝熱管（6）の外表面に吸着材をディップ成形により担持しているが、これに限らず、吸着材としての性能を損なわない限り、如何なる方法でその外表面に吸着材を担持してもよい。
【図面の簡単な説明】
【０１６５】
【図１】実施形態１に係る調湿装置の冷媒回路の構成を示す回路図である。
【図２】実施形態１に係る調湿装置の吸着熱交換器の概略構成図である。
【図３】実施形態１に係る調湿装置の概略構成図である。
【図４】実施形態１に係る調湿装置の第１動作時における空気の流れを示す説明図である。
【図５】実施形態１に係る調湿装置の第１動作時における空気調和室内の空気の流れを示す説明図である。
【図６】実施形態１に係る調湿装置の第２動作時における空気の流れを示す説明図である。
【図７】実施形態１に係る調湿装置の第２動作時における空気調和室内の空気の流れを示す説明図である。
【図８】実施形態１の変形例１に係る調湿装置の概略構成図である。
【図９】実施形態１の変形例１に係る調湿装置におけるフィルタ取り出し動作時の説明図である。
【図１０】実施形態１の変形例２に係る調湿装置の概略構成図である。
【図１１】実施形態２に係る調湿装置の概略構成図である。
【図１２】実施形態２に係る調湿装置の第１動作時における空気の流れを示す説明図である。
【図１３】実施形態２に係る調湿装置の第２動作時における空気の流れを示す説明図である。
【図１４】実施形態２に係る調湿装置におけるフィルタ取り出し動作時の説明図である。
【符号の説明】
【０１６６】
(3)   第１吸着熱交換器
(5)   第２吸着熱交換器
(23b) 室内側フィルタ
(24) 室外側フィルタ（第１，第２フィルタ）
(41)  第１通路
(42)  第２通路